【事件の表示】
　特願２００４−１９２０９６「エレクトロルミネセンス表示装置」拒絶査定不服審判事件〔平成１７年　７月２１日出願公開、特開２００５−１９６１１６〕について、次のとおり審決する。
【結　論】
　本件審判の請求は、成り立たない。
【理　由】
１　手続の経緯  
　
　平成１６年　６月２９日　特許出願（パリ条約による優先権主張２００３年１２月３０日、大韓民国）
　平成２０年　２月１９日　拒絶理由通知（同年２月２６日発送）
　平成２０年　５月２３日　意見書・手続補正書
　平成２０年　７月１６日　拒絶査定（同年７月２２日発送）
　平成２０年１０月１７日　本件審判請求・手続補正書
　平成２１年１２月２４日　審尋（平成２２年１月５日発送）
　平成２２年　４月　５日　回答書
 　 
２　平成２０年１０月１７日付け手続補正についての補正却下の決定 
　
[補正却下の決定の結論] 
　
　平成２０年１０月１７日付け手続補正を却下する。 
　
[理由］独立特許要件違反 
　
 　平成２０年１０月１７日付け手続補正（以下「本件補正」という。）により、本件補正前の請求項は、 
「【請求項１】
　複数のゲートラインと、
　前記複数のゲートラインと交差するように形成された複数のデータラインと、
　前記複数のゲートライン及びデータラインの交差部ごとに形成される発光セルと、前記ゲートラインと前記データラインから供給される駆動信号により前記発光セルを駆動する発光セル駆動回路とを含む画素セルと、
　各１水平期間にゲート信号を前記複数のゲートラインのそれぞれに順次供給するためのゲートドライバーと、
　前記１水平期間の第１期間の間、前記画素セルに電圧信号を供給する電圧駆動部と、前記第１水平期間の第１期間を除いた第２期間の間、前記画素セルから電流信号の供給を受ける電流駆動部とを有する複数のデータ集積回路と
　を具備し、
　前記電流駆動部は、供給されるデータに対応する電流信号を前記画素セルから供給する電流駆動ブロックと、外部から供給される制御信号の第１極性によってターンオンされる第１スイッチング部とを含み、
　前記電圧駆動部は、供給されるデータに対応する電圧信号を生成する電圧駆動ブロックと、前記制御信号の前記第１極性と相反する第２極性によってターンオンされる第２スイッチング部とを含み、
　前記発光セル駆動回路は、電圧供給ラインと前記発光セルの間に接続された第１駆動トランジスタと、前記ゲートラインと前記データラインの間に接続された第１スイッチングトランジスタと、前記第１スイッチングトランジスタと前記電圧供給ラインの間に接続されて前記第１駆動トランジスタと電流ミラー回路を形成する第２駆動トランジスタと、前記ゲートラインと前記第２駆動トランジスタの間に接続される第２スイッチングトランジスタと、前記第１駆動トランジスタのゲートと第２駆動トランジスタのゲートの間のノードと前記電圧供給ラインの間に接続されるストレージキャパシターとを含み、前記第１スイッチングトランジスタ及び第２スイッチングトランジスタのゲートには一つのゲートラインから同一であるゲート信号が供給される
　ことを特徴とするエレクトロルミネセンス表示装置。
・・・
【請求項３】
　前記電圧信号が生成されるように前記電圧駆動部に複数の電圧レベルを有するガンマ電圧値を供給するガンマ電圧部をさらに具備する
　ことを特徴とする請求項１記載のエレクトロルミネセンス表示装置。
・・・」から 
「【請求項１】 
　複数のゲートラインと、
　前記複数のゲートラインと交差するように形成された複数のデータラインと、
　前記複数のゲートライン及びデータラインの交差部ごとに形成される発光セルと、前記ゲートラインと前記データラインから供給される駆動信号により前記発光セルを駆動する発光セル駆動回路とを含む画素セルと、
　各１水平期間にゲート信号を前記複数のゲートラインのそれぞれに順次供給するためのゲートドライバーと、
　前記１水平期間の第１期間の間、前記画素セルに電圧信号を供給する電圧駆動部と、前記第１水平期間の第１期間を除いた第２期間の間、前記画素セルから電流信号の供給を受ける電流駆動部とを有する複数のデータ集積回路と
、
　
前記電圧信号が生成されるように前記電圧駆動部に複数の電圧レベルを有するガンマ電圧値を供給するガンマ電圧部と
　を具備し、
　前記電流駆動部は、供給されるデータに対応する
ように
ガンマ
を選択して、選択された電流ガンマ信号を利用して
データに対応する電流が供給されるように制御
　前記電圧駆動部は、供給されるデータに対応する
ように前記ガンマ電圧部から供給される複数の電圧ガンマ信号の中からいずれかを選択して、選択された電圧ガンマ信号をデータラインに供給することで前記画素セルが予備充電されるように制御
　前記発光セル駆動回路は、電圧供給ラインと前記発光セルの間に接続された第１駆動トランジスタと、前記ゲートラインと前記データラインの間に接続された第１スイッチングトランジスタと、前記第１スイッチングトランジスタと前記電圧供給ラインの間に接続されて前記第１駆動トランジスタと電流ミラー回路を形成する第２駆動トランジスタと、前記ゲートラインと前記第２駆動トランジスタの間に接続される第２スイッチングトランジスタと、前記第１駆動トランジスタのゲートと第２駆動トランジスタのゲートの間のノードと前記電圧供給ラインの間に接続されるストレージキャパシターとを含み、前記第１スイッチングトランジスタ及び第２スイッチングトランジスタのゲートには一つのゲートラインから同一であるゲート信号が供給される
　ことを特徴とするエレクトロルミネセンス表示装置。」
に補正された。 （下線は、補正箇所を明示するために請求人が付した。）
　
　そして、この補正は、本件補正前の請求項３を本件補正後の請求項１とし、電流駆動ブロックに関して、「供給されるデータに対応する電流信号を前記画素セルから供給する」なる記載を「供給されるデータに対応するように電流ガンマ信号を選択して、選択された電流ガンマ信号を利用して前記画素セルからデータに対応する電流が供給されるように制御する」と補正し、電圧駆動ブロックに関して、「供給されるデータに対応する電圧信号を生成する」なる記載を「供給されるデータに対応するように前記ガンマ電圧部から供給される複数の電圧ガンマ信号の中からいずれかを選択して、選択された電圧ガンマ信号をデータラインに供給することで前記画素セルが予備充電されるように制御する」と補正することにより、電流駆動ブロックにより供給されるデータに対応する信号が「電流ガンマ信号」として選択されることを限定すると共に、電圧駆動ブロックにより供給されるデータに対応する信号が「ガンマ電圧部から供給される複数の電圧ガンマ信号の中から選択された電圧ガンマ信号」として選択され、「データラインに供給」されることで「前記画素セルが予備充電される」ことを限定するものである。
　
　したがって、この補正は、特許請求の範囲の減縮を目的とするものに該当する。 
　そこで、本件補正後の請求項１に係る発明が特許出願の際独立して特許を受けることができるものであるか（平成１８年法律第５５号改正附則第３条第１項によりなお従前の例によるとされる同法による改正前の特許法第１７条の２第５項において準用する特許法第１２６条第５項の規定に適合するか）について検討する。 
　
（１）本件補正後の本願発明 
　
　本願の請求項１に係る発明（以下「本願補正発明」という。）は、本件補正により補正された特許請求の範囲、明細書及び図面からみて、その請求項１に記載された以下のものと認める。 
「複数のゲートラインと、
　前記複数のゲートラインと交差するように形成された複数のデータラインと、
　前記複数のゲートライン及びデータラインの交差部ごとに形成される発光セルと、前記ゲートラインと前記データラインから供給される駆動信号により前記発光セルを駆動する発光セル駆動回路とを含む画素セルと、
　各１水平期間にゲート信号を前記複数のゲートラインのそれぞれに順次供給するためのゲートドライバーと、
　前記１水平期間の第１期間の間、前記画素セルに電圧信号を供給する電圧駆動部と、前記第１水平期間の第１期間を除いた第２期間の間、前記画素セルから電流信号の供給を受ける電流駆動部とを有する複数のデータ集積回路と、
　前記電圧信号が生成されるように前記電圧駆動部に複数の電圧レベルを有するガンマ電圧値を供給するガンマ電圧部と
　を具備し、
　前記電流駆動部は、供給されるデータに対応するように電流ガンマ信号を選択して、選択された電流ガンマ信号を利用して前記画素セルからデータに対応する電流が供給されるように制御する電流駆動ブロックと、外部から供給される制御信号の第１極性によってターンオンされる第１スイッチング部とを含み、
　前記電圧駆動部は、供給されるデータに対応するように前記ガンマ電圧部から供給される複数の電圧ガンマ信号の中からいずれかを選択して、選択された電圧ガンマ信号をデータラインに供給することで前記画素セルが予備充電されるように制御する電圧駆動ブロックと、前記制御信号の前記第１極性と相反する第２極性によってターンオンされる第２スイッチング部とを含み、
　前記発光セル駆動回路は、電圧供給ラインと前記発光セルの間に接続された第１駆動トランジスタと、前記ゲートラインと前記データラインの間に接続された第１スイッチングトランジスタと、前記第１スイッチングトランジスタと前記電圧供給ラインの間に接続されて前記第１駆動トランジスタと電流ミラー回路を形成する第２駆動トランジスタと、前記ゲートラインと前記第２駆動トランジスタの間に接続される第２スイッチングトランジスタと、前記第１駆動トランジスタのゲートと第２駆動トランジスタのゲートの間のノードと前記電圧供給ラインの間に接続されるストレージキャパシターとを含み、前記第１スイッチングトランジスタ及び第２スイッチングトランジスタのゲートには一つのゲートラインから同一であるゲート信号が供給される
　ことを特徴とするエレクトロルミネセンス表示装置。」
　
（２）引用発明 
（２Ａ）引用刊行物１
（２Ａ−１）引用刊行物１の記載事項
　原査定の拒絶の理由に引用され、本願の優先日前の２００３年４月１１日に頒布された刊行物である特開２００３−１０８０６５号公報（以下「引用刊行物１」という。）には、「有機電界発光素子表示装置」の発明に関して、以下の事項が記載されている。 
　
＜記載事項１＞
「【０００１】
【発明の属する技術分野】本発明は、有機電界発光素子など、電流量により階調表示を行う表示装置に関するものである。」
　
　従来の技術の説明として、以下の事項が記載されている。
＜記載事項２＞
「【０００４】半導体層を有するトランジスタを用いたアクティブマトリクス型表示装置の例を図３９に示す。各画素は７９に示すように、複数のトランジスタ（スイッチング素子）７３と蓄積容量７４ならびに有機発光素子７２からなる。
【０００５】トランジスタ７３は１フレームのうち行選択期間（期間Ａ）にはゲートドライバ７０からの出力により７３ａ及び７３ｂのトランジスタを導通させ、７３ｄのトランジスタは非導通状態とする。非選択期間（期間Ｂ）には、逆に７３ｄのトランジスタを導通状態とし、７３ａ及び７３ｂのトランジスタを非導通状態とする。
【０００６】この操作により期間Ａにおいて、ソースドライバ７１から出力される電流値に応じて、トランジスタ７３ｃを流れる電流量が決められ、トランジスタ７３ｃのソースドレイン間電流とゲート電圧の関係からゲート電圧が決まり、ゲート電圧に応じた電荷が蓄積容量７４に蓄積される。期間Ｂでは期間Ａで蓄積された電荷量に応じて、トランジスタ７３ｃのゲート電圧が設定されるため、期間Ａでトランジスタ７３ｃに流れた電流と同一の電流が期間Ｂにおいてもトランジスタ７３ｃを流れ、トランジスタ７３ｄを通じて、有機発光素子７２を発光させる。ソース信号線の電流量に応じ、蓄積容量７４の電荷量が変わり、有機発光素子７２の発光強度が変化する。
【０００７】表示パターンとして、あるソース信号線に、点灯、非点灯の順に電流を流した場合と、非点灯、非点灯の順に電流を流した場合で、非点灯時画素の輝度が異なることがわかった。点灯、非点灯の順の場合、非点灯画素は点灯時の輝度を１、非点灯時の輝度を０とすると、０．５程度点灯した。また、１度点灯信号を流した後、残りの同一フレーム期間内で非点灯信号を流し続けた場合、非点灯画素の輝度は０．５から徐々に減少し、フレーム周波数が６０Ｈｚ、表示行数が２２０行の場合、６から７行目より輝度は０となることがわかった。
【０００８】一方、非点灯の後に点灯信号を流した場合は、点灯輝度ははじめ０．８であったが、３行目より輝度１で表示できた。
【０００９】このことは、ソースドライバの出力は表示画素に応じて、電流値を変化させているが、各画素へ供給される電流波形が、ソース信号線の配線抵抗および浮遊容量によりなまり、所望の電流値が各画素へ蓄積容量７４の電荷として蓄えられていないことを示す。つまり、所望の電流値を書き込む能力が小さいことがわかった。
【００１０】特に、電流値小から電流値大に比べ、電流値大から電流値小への変化は２倍程度かかることがわかった。
【００１１】フレーム周波数を遅くし、１行ごとの書き込み時間を多く取ることで、波形なまりの影響が小さくなり、上記課題が改善することを確認した。
【００１２】フレーム周波数を遅くすると、トランジスタ７３のオフ特性が悪い場合、蓄積容量７４の電荷量はトランジスタ７３のリークにより変化し、その上、有機発光素子７２の電流量も変化することで、フリッカが発生する。
【００１３】従って、フリッカのない表示を得るためには、電流波形のなまりを低減し、１つ前に表示される画素に流す電流値によらず、所望の電流値が選択期間内に流れるようにする必要がある。
【００１４】
【課題を解決するための手段】上記課題を解決するために、本発明のアクティブマトリクス型表示装置は、ソース信号線に所定の電圧を印加する手段と、所定の電流量を流す手段と、ソース信号線に前記電圧印加手段、前記電流を流す手段とを切りかえる切り替え手段を具備し、映像信号の変化によりソース信号線に流れる電流量変化を早くしたことを特徴とする。」
　
　また、【図３９】には、アクティブマトリクス型表示装置の例に関して、以下の事項が図示されている。
＜事項１＞
・アクティブマトリクス型表示装置は、複数のソース信号線７６と、複数のゲート信号線の組と、前記複数のソース信号線７６と前記複数のゲート信号線の組の交点に各画素７９が形成されている。
・ゲートドライバ７０には、複数のゲート信号線の組が接続されている。
・ソースドライバ７１には、複数のソース信号線７６が接続されている。
　
　実施の形態１の説明として、以下の事項が記載されている。
 ＜記載事項３＞ 
「【００１６】（実施の形態１）図２は本発明の第１の実施の形態における１つのソース信号線につながる２画素分の有機発光素子の駆動回路を示した図である。
【００１７】本発明では、表示階調に応じた所望の電流を流す電流源１０と、所定の電圧を印加するための電圧源１８を設け、電源切り替え手段１９によりソース信号線に入力する電源を切り替えられるようにしたことが特徴である。
【００１８】携帯電話およびモニターなどの表示部の各画素の大きさは横１００μｍ、縦２５０μｍ程度であり、１００カンデラ／平方メートルの輝度を得るためのソース信号線に必要な電流値は、表示色及び外部量子効率により異なるが、およそ１μＡ程度である。
【００１９】ＥＬ素子１６に対して１μＡを流すには、ソースドライバ側で電源切り替え手段１９は電流源１０を選択し、電流源１０は流れる電流値を１μＡとする。
【００２０】選択行ではゲート信号線（１）１２にトランジスタ１７が導通する信号、ゲート信号線（２）１３には非導通の信号を印加し、非選択行では逆にゲート信号線（１）１２に非導通信号、ゲート信号線（２）１３に導通信号を印加する。
【００２１】これにより、選択行（この例では１行目とする）においては、ソース信号線１１の電流がトランジスタ１７ｂ、１７ｃを通じて画素内部に流れる。画素内の電流経路はトランジスタ１７ａを通してＥＬ電源線１５ａとつながっているのみであるため、トランジスタ１７ａにも１μＡの電流が流れ、蓄積容量１４ａにはこの時のゲート電圧分の電荷が蓄積される。非選択期間になると、トランジスタ１７ｄが導通し、トランジスタ１７ｂ、１７ｃは非導通となるため、選択期間で蓄積容量１４ａに蓄積された電荷に基づいてトランジスタ１７ａに流れる電流が規定され、ＥＬ素子１６ａに１μＡの電流が流れる。
【００２２】このことからＥＬ素子１６ａに所望の電流値（例えば１μＡ）を流すには選択期間において、トランジスタ１７ａが所望の電流値を流すようなゲート電圧を与えるよう蓄積容量１４ａに電荷を蓄えさせる必要がある。
【００２３】しかしながら、ソース信号線１１に浮遊容量２０が存在すると、ソース信号線１１の配線抵抗と浮遊容量２０の時定数で決まる波形のなまりが観測される。電流値により階調表示を行う場合、この波形なまりはソース信号線に流れる電流値によっても異なり、電流値が小さいほど立ち上がり、立ち下がりに時間がかかる。例えば、配線容量が１００ｐＦ、配線抵抗が５００オームの時、電流源１０の電流値を変化させた時にソース信号線の電流値及び接点１００１の電流値が０．２４μＡから４０ｎＡへ変化するのに必要な時間は３００μ秒、４０ｎＡから０．２４μＡへ変化するのに必要な時間は２５０μ秒であった。
【００２４】低電流領域では単位時間あたりの電荷の移動量が少ないため、浮遊容量２０にたまった電荷を充放電することが難しいのである。
【００２５】例えば、図４０に示すように、ゲート信号線（１）１２のオン期間を６４μ秒、２５６μ秒と変化させた時、２５６μ秒では入力電流に対し、ほぼ同一の出力電流が得られたのに対し、６４μ秒においては、低電流（０．７μＡ以下）を中心に、入力に対し、出力電流が異なることがわかった。
【００２６】このため、従来の電流による階調表示方法では、１水平走査期間の最小時間は３００μ秒必要である。これでは、携帯電話のように走査線数が２２０本の場合、１フレームは１０Ｈｚ程度で駆動させる必要があり、トランジスタ１７のオフ特性によっては、蓄積容量１４の電荷量が変化し、ＥＬ素子１６に流れる電流が変化することによるフリッカが発生する。
【００２７】また、ソース信号線に電圧値を印加する場合には、電圧値によらずソース信号線の配線抵抗と浮遊容量２０の時定数のみで決まるため、接点１００１の電圧値は１μ秒程度と電流源１０により接点１００１の電流値に対応する電圧値を決める時に比べ高速である。
【００２８】そこで１水平走査期間を短くするために、本発明では電流波形の変化において、低電流（黒表示）から高電流（白表示）へ変化する時の方が、高電流（白表示）から低電流（黒表示）へ変化する時よりもはやいということを利用しようと考えた。
【００２９】図３（ａ）に示すように、１水平走査期間の初めに電源切り替え手段１９を電圧源１８側に切り替え、この電圧源１８を用いて、ソース信号線２２ａの電圧を黒信号電流値が流れている状態と同じ電圧にする（ディスチャージ電圧印加期間２４）。次に、電源切り替え手段１９を電流源１０側に切り替え、この電流源１０により映像信号に応じた所望の電流値をソース信号線２２ａに流す（映像信号電流印加期間２５）。」
　
　実施の形態１の変形例である実施の形態２の説明として、以下の事項が記載されている。
 ＜記載事項４＞ 
「【００３６】（実施の形態２）実施の形態１において、ディスチャージ電圧印加期間２４を設け、黒信号を表示する電圧を印加することで、ソース信号線が黒を示す電流に容易に変化できるようにした。
【００３７】これにより、黒および黒付近の階調は電圧変化量が小さくなったため、１水平走査期間が２００μ秒から２３０μ秒で表示可能であった。また、白表示時は電流量が最大であるため、ソース信号線１１に存在する浮遊容量２０の電荷の放電速度が速く、変化量が大きいにもかかわらず１水平走査期間が１８０μ秒程度で、表示可能であった。一方で、白と黒の中間付近より黒よりの階調は、電流量も白表示時の半分以下なので、浮遊容量２０の電荷放電速度が半分となるため１水平期間が２５０μ秒程度と最もかかる。
【００３８】そこで、ディスチャージ電圧印加期間２４において、黒信号を表示する電圧を印加するのではなく、次に表示する映像信号の階調に応じて、数段階の異なる電圧を印加することを考えた。
【００３９】これを実現するための、本発明の表示装置のソースドライバ７１の内部ブロックを図５に示す。階調データ検出手段５２により入力映像信号の階調を検出し、その検出結果により、ソース信号用電流源５３に流れる電流量を制御すると同時に、複数の電圧源５４ａから５４ｃのうちの１つを選択する。また、水平同期信号によって電圧印加期間制御部５１の出力を変化させ、電圧印加期間と電流印加期間を制御する。
【００４０】図２において、ソース信号線１１から信号を画素に書き込む場合、トランジスタ１７ｂ、１７ｃが導通状態、トランジスタ１７ｄが非導通状態であることからこの時の１画素分の等価回路を図６（ａ）に示す。
【００４１】電流源１２５によって所定の電流Ｉをソース信号線１２４に流す場合、トランジスタ１２１にも電流量がＩの電流が流れる。図６（ａ）でわかるように、トランジスタ１２１のソースまたはドレインとゲートは同一電位となるため、トランジスタ１２１のゲート電圧とドレイン電流が図６（ｂ）に示すような関係にある場合、ソース信号線１２４の電位は、電流値により変化する。
【００４２】例えば、ソース信号線１２４に流れる電流がＩ１からＩ２に変化する場合、ソース信号線１２４の電位はＶｄｄ−Ｖ１からＶｄｄ−Ｖ２に変化する。また、電流がＩ１からＩ３に変化する場合についても同様である。
【００４３】電流値変化に要する時間は図６（ｃ）に示すように、変化後の電流値により異なり、Ｉ１からＩ２へは１２６の実線で示すようにｔ４−ｔ１時間かかり、１２７の点線で示すようにＩ１からＩ３へはｔ３−ｔ１時間かかり、電流値が小さいほど変化に時間がかかることがわかる。これは、ソース信号線１２４にある浮遊容量１２３の充放電を低電流を用いて行うと、時間がかかるためである。
【００４４】そこで、低電流領域（黒に近い階調）では変化に時間がかかることを考慮し、表示階調ごともしくは複数の表示階調ごとに異なる電圧値を印加するようにして、変化量を少なくし、書き込み時間の短縮を図った。
【００４５】例えば、１６階調表示の場合は階調１、２、４に対応する電圧を準備し、階調１では対応する電圧を電圧印加期間に印加し、階調２、３では階調２に対応する電圧を印加し、階調４以上の場合では階調４に対応する電圧を印加することで、書き込みに必要な時間、特に時間がかかった低電流領域での書き込み時間が短縮でき、１水平走査期間は表示階調によらず２２０μ秒あればよい。
【００４６】他の階調数の場合でも同様に、図５の複数の電圧源で印加する電圧値はそれぞれ、階調表現に必要な最大電圧値と最小電圧値から電圧源５４の数で等間隔に割り振った電圧値よりも、低電流領域よりに、電圧値を設定する方がよい。
【００４７】また、用意する電源数はソース信号線１２４の取り得る電圧振幅にもよるが、ソースドライバの回路規模増大と、電源数増加による画質改善の兼ね合いから多くても５つ程度が望ましい。」
　
　また、【図５】には、ソースドライバ７１に関して、以下の事項が図示されている。
＜事項２＞
・複数の電圧源５４ａ〜５４ｃからは、各ソース信号線に設けられた各電圧源に対応する電圧出力端に電圧が供給されている。
・ソース信号線７６のそれぞれには、電圧印加期間制御部５１、ソース信号電流制御信号５６及び電圧源選択制御信号１６１を出力する階調データ検出手段５２、ソース信号電流制御信号５６が入力されるソース信号用電流源５３、複数の電圧源５４ａ〜５４ｃからそれぞれ電圧が供給される複数の電圧出力端、複数の電圧出力端から電圧源選択制御信号１６１によって１つの電圧出力端を選択するスイッチ、電圧出力端からの電圧を供給する電圧供給端、ソース信号用電流源５３からの電流を流す電流通過端、電圧印加期間制御部５１の出力信号によって電圧供給端と電流通過端のいずれかを選択するスイッチからなる回路群が設けられている。
　
　また、【図６】には、ソース信号線１１から信号を画素に書き込む場合の１画素分の等価回路に関して、以下の事項が図示されている
＜事項３＞
・ソース信号線１２４に接続された電流源１２５は、シンク型である。
　
　本発明の画素構成に関する派生形態の説明として、以下の事項が記載されている。
 ＜記載事項５＞ 
「【０１３４】また、ダイナミックカレントコピアの画素構成において説明を行ってきたが、図３５に示すようなカレントミラー構成の画素においても同様に本発明を実施可能である。カレントミラー構成の場合においても、行選択時にはトランジスタ１７７ｄを導通状態、トランジスタ１７７ｂを非導通状態にして、電流源１７０により、ＥＬ電源線１７５、トランジスタ１７７ａ、１７７ｄ、ソース信号線１７１を通して階調に応じた電流を流すという動作を行うため、ソース信号線１７１に浮遊容量が存在した場合、電流源１７０の電流値の変化時に、低電流領域では浮遊容量にたまった電荷の充放電を行うことが難しいという課題は同じである。従って、本発明の実施により、書き込み速度が速くなるという効果を得ることができる。」
　
　また、【図３５】には、カレントミラー構成の画素に関して、以下の事項が図示されている。
＜事項４＞
・カレントミラー構成の画素が、
　ＥＬ電源線１７５と、
　ＥＬ素子１７６と、
　前記ＥＬ電源線１７５と前記ＥＬ素子１７６の間に接続されたトランジスタ１７７ｃと、
　ゲート信号線（１）１７２と、ソース信号線１７１の間に接続されたトランジスタ１７７ｄと、
　前記トランジスタ１７７ｄと前記ＥＬ電源線１７５の間に接続されて前記トランジスタ１７７ｃとカレントミラー構成となっているトランジスタ１７７ａと、
　ゲート信号線（２）１７３と前記トランジスタ１７７ａの間に接続されたトランジスタ１７７ｂと、
　前記トランジスタ１７７ａのゲートと前記トランジスタ１７７ｃのゲートの間のノードと前記ＥＬ電源線１７５の間に接続された蓄積容量１７４とを含んでいる。
・前記トランジスタ１７７ｄのゲートには、前記ゲート信号線（１）１７２が接続されている。
・前記トランジスタ１７７ｂのゲートには、前記ゲート信号線（２）１７３が接続されている。
・前記ソース信号線１７１には、電流源１７０と電圧源１７８が電源切り替え手段１７９を介して接続されている。
　
（２Ａ−２）引用刊行物１に記載された発明
　上記引用刊行物１の段落【０１３４】、【図３５】に記載される表示装置に基づいて引用発明１を認定する。なお、認定するに際し、該表示装置は、【０１３４】に「図３５に示すようなカレントミラー構成の画素においても同様に本発明を実施可能である。」と記載されているように、本発明である（実施の形態１）〜（実施の形態１４）において、１画素分の回路として、図３５に記載のカレントミラー構成の画素を採用した表示装置であるから、ここでは、（実施の形態１）の変形例である（実施の形態２）の１画素分の回路として、図３５に記載のカレントミラー構成の画素を採用した表示装置として認定する。そして、図５の表示装置は、従来のアクティブマトリクス型表示装置（段落【０００４】〜【００１４】、【図３９】）において、ソースドライバ７１として、複数の電圧源５４ａ〜ｃ、及び、これらの電圧源から１つの電圧源を選択するスイッチと、電圧印加期間と電流印加期間を切り替えるスイッチを付加したものであるから、これらの構成を除く構成については、従来の表示装置についての記載を参酌する。
　
（２Ａ−２−１）
　上記記載事項１には、「【０００１】・・・本発明は、有機電界発光素子など、電流量により階調表示を行う表示装置に関するものである。」と記載されている。
　この記載によれば、引用刊行物１には、「有機電界発光素子表示装置」の発明が記載されている。
　
（２Ａ−２−２）
　従来の技術を説明する上記記載事項２には、「【０００４】・・・半導体層を有するトランジスタを用いたアクティブマトリクス型表示装置の例を図３９に示す。各画素は７９に示すように、複数のトランジスタ（スイッチング素子）７３と蓄積容量７４ならびに有機発光素子７２からなる。」と記載されており、【図３９】から、上記事項１として、「アクティブマトリクス型表示装置は、複数のソース信号線７６と、複数のゲート信号線の組と、前記複数のソース信号線７６と前記複数のゲート信号線の組の交点に各画素７９が形成されている」こと、「ゲートドライバ７０には、複数のゲート信号線の組が接続されている」こと、「ソースドライバ７１には、複数のソース信号線７６が接続されている」ことが読み取れる。
　この記載、及び、これらの事項によれば、引用刊行物１に記載された「有機電界発光素子表示装置」は、「複数のゲート信号線の組と、複数のソース信号線７６と、前記複数のゲート信号線の組と前記複数のソース信号線７６の交点に形成された画素７９であって、各画素が複数のトランジスタと蓄積容量ならびに有機発光素子からなるものと、複数のゲート信号線の組が接続されているゲートドライバ７０と、複数のソース信号線７６が接続されているソースドライバ７１」とを備えている。
　
（２Ａ−２−３）
　実施の形態１の変形例である実施の形態２に関して、【図５】から、上記事項２として、「複数の電圧源５４ａ〜５４ｃからは、各ソース信号線に設けられた各電圧源に対応する電圧出力端に電圧が供給されている」ことが読み取れる。
　この事項によれば、引用刊行物１に記載された「有機電界発光素子表示装置」は、「各ソース信号線に設けられた各電圧源に対応する電圧出力端に電圧を供給する複数の電圧源５４ａ〜５４ｃ」を備えている。
　
（２Ａ−２−４）
　実施の形態１を説明する上記記載事項３には、「【００２９】図３（ａ）に示すように、１水平走査期間の初めに電源切り替え手段１９を電圧源１８側に切り替え、この電圧源１８を用いて、ソース信号線２２ａの電圧を黒信号電流値が流れている状態と同じ電圧にする（ディスチャージ電圧印加期間２４）。次に、電源切り替え手段１９を電流源１０側に切り替え、この電流源１０により映像信号に応じた所望の電流値をソース信号線２２ａに流す（映像信号電流印加期間２５）。」と、実施の形態１の変形例である実施の形態２を説明する上記記載事項４には「【００３８】そこで、ディスチャージ電圧印加期間２４において、黒信号を表示する電圧を印加するのではなく、次に表示する映像信号の階調に応じて、数段階の異なる電圧を印加することを考えた。【００３９】これを実現するための、本発明の表示装置のソースドライバ７１の内部ブロックを図５に示す。階調データ検出手段５２により入力映像信号の階調を検出し、その検出結果により、ソース信号用電流源５３に流れる電流量を制御すると同時に、複数の電圧源５４ａから５４ｃのうちの１つを選択する。また、水平同期信号によって電圧印加期間制御部５１の出力を変化させ、電圧印加期間と電流印加期間を制御する。」、「【００４４】そこで、低電流領域（黒に近い階調）では変化に時間がかかることを考慮し、表示階調ごともしくは複数の表示階調ごとに異なる電圧値を印加するようにして、変化量を少なくし、書き込み時間の短縮を図った。」と記載されている。また、実施の形態２のソースドライバ７１に関して、【図５】から、上記事項２として、「ソース信号線７６のそれぞれには、電圧印加期間制御部５１、ソース信号電流制御信号５６及び電圧源選択制御信号１６１を出力する階調データ検出手段５２、ソース信号電流制御信号５６が入力されるソース信号用電流源５３、複数の電圧源５４ａ〜５４ｃからそれぞれ電圧が供給される複数の電圧出力端、複数の電圧出力端から電圧源選択制御信号１６１によって１つの電圧出力端を選択するスイッチ、電圧出力端からの電圧を供給する電圧供給端、ソース信号用電流源５３からの電流を流す電流通過端、電圧印加期間制御部５１の出力信号によって電圧供給端と電流通過端のいずれかを選択するスイッチからなる回路群が設けられている」こと、実施の形態２のソースドライバ７１に関して、【図６】から、上記事項３として、「電流源１２５がシンク型である」ことが読み取れる。
　ここで、実施の形態１に記載された表示装置において、１水平走査期間の初めに電圧を印加するディスチャージ電圧印加期間２４があり、図３に示されているように、１水平走査期間におけるディスチャージ電圧印加期間２４に続いた期間に、電流を印加する映像信号電流印加期間２５があるから、映像信号電流印加期間２５は、１水平走査期間のディスチャージ電圧印加期間を除いた期間である。そして、実施の形態２は、実施の形態１の変形例であって、実施の形態１のディスチャージ電圧印加期間２４が、実施の形態２の電圧印加期間に対応し、実施の形態１の映像信号電流印加期間２５が、実施の形態２の電流印加期間に対応するものである。よって、実施の形態２に記載された表示装置においても、１水平走査期間の初めに電圧を印加する電圧印加期間があり、１水平走査期間の電圧印加期間を除いた期間に、電流を印加する電流印加期間がある。また、電流印加期間において流れる電流値は「映像信号に応じた所望の電流値」である。
　したがって、引用刊行物１に記載された「有機電界発光素子表示装置」の「ソースドライバ７１」は、「ソース信号線７６のそれぞれに、電圧印加期間制御部５１、ソース信号電流制御信号５６及び電圧源選択制御信号１６１を出力する階調データ検出手段５２、ソース信号電流制御信号５６が入力されるシンク型のソース信号用電流源５３、複数の電圧源５４ａ〜５４ｃからそれぞれ電圧が供給される複数の電圧出力端、前記複数の電圧出力端から電圧源選択制御信号１６１によって１つの電圧出力端を選択するスイッチ、電圧出力端からの電圧を供給する電圧供給端、ソース信号用電流源５３からの電流を流す電流通過端、電圧印加期間制御部５１の出力信号によって電圧供給端と電流通過端のいずれかを選択するスイッチからなる回路群が設けられており、電圧印加期間制御部５１の出力信号を変化させ、１水平走査期間の初めである電圧印加期間に、表示階調ごとに、異なる電圧値を有する複数の電圧源５４ａから５４ｃのうちの１つを選択して、ソース信号線に選択された電圧値を印加し、１水平走査期間の電圧印加期間を除いた期間である電流印加期間に、入力映像信号の階調を検出し、その検出結果により、ソース信号用電流源５３に流れる電流量を制御することにより、ソース信号線に映像信号に応じた所望の電流値の電流量を流す」ものである。
　
（２Ａ−２−５）
　本発明の画素構成に関する派生形態を説明する上記記載事項５には、「【０１３４】・・・カレントミラー構成の場合においても、行選択時にはトランジスタ１７７ｄを導通状態、トランジスタ１７７ｂを非導通状態にして、電流源１７０により、ＥＬ電源線１７５、トランジスタ１７７ａ、１７７ｄ、ソース信号線１７１を通して階調に応じた電流を流すという動作を行う・・・」と記載されており、【図３５】から、上記事項４として、「カレントミラー構成の画素が、ＥＬ電源線１７５と、ＥＬ素子１７６と、前記ＥＬ電源線１７５と前記ＥＬ素子１７６の間に接続されたトランジスタ１７７ｃと、　ゲート信号線（１）１７２と、ソース信号線１７１の間に接続されたトランジスタ１７７ｄと、前記トランジスタ１７７ｄと前記ＥＬ電源線１７５の間に接続されて前記トランジスタ１７７ｃとカレントミラー構成となっているトランジスタ１７７ａと、ゲート信号線（２）１７３と前記トランジスタ１７７ａの間に接続されたトランジスタ１７７ｂと、前記トランジスタ１７７ａのゲートと前記トランジスタ１７７ｃのゲートの間のノードと前記ＥＬ電源線１７５の間に接続された蓄積容量１７４とを含んでいる」こと、「前記トランジスタ１７７ｄのゲートには、前記ゲート信号線（１）１７２が接続されている」こと、「前記トランジスタ１７７ｂのゲートには、前記ゲート信号線（２）１７３が接続されている」ことが読み取れる。
　ここで、本発明の画素構成に関する派生形態において、「行選択時にはトランジスタ１７７ｄを導通状態、トランジスタ１７７ｂを非導通状態にする」ことは、「蓄積容量１７４に電荷をプログラムする行選択時に、トランジスタ１７７ｂ、１７７ｄのゲートに異なるゲート信号が供給される」ことを意味している。
　したがって、引用刊行物１に記載された「有機電界発光素子表示装置」において、「カレントミラー構成の画素が、ＥＬ電源線１７５と、ＥＬ素子１７６と、前記ＥＬ電源線１７５と前記ＥＬ素子１７６の間に接続されたトランジスタ１７７ｃと、　ゲート信号線（１）１７２と、ソース信号線１７１の間に接続されたトランジスタ１７７ｄと、前記トランジスタ１７７ｄと前記ＥＬ電源線１７５の間に接続されて前記トランジスタ１７７ｃとカレントミラー構成となっているトランジスタ１７７ａと、ゲート信号線（２）１７３と前記トランジスタ１７７ａの間に接続されたトランジスタ１７７ｂと、前記トランジスタ１７７ａのゲートと前記トランジスタ１７７ｃのゲートの間のノードと前記ＥＬ電源線１７５の間に接続された蓄積容量１７４とを含み、前記トランジスタ１７７ｄのゲートには、前記ゲート信号線（１）１７２が接続され、前記トランジスタ１７７ｂのゲートには、前記ゲート信号線（２）１７３が接続され、蓄積容量１７４に電荷をプログラムする行選択時に、トランジスタ１７７ｂ、１７７ｄのゲートに異なるゲート信号が供給される」ものである。
　
（２Ａ−２−６）
（２Ａ−２−１）〜（２Ａ−２−５）によれば、引用刊行物１には、以下の引用発明１が記載されている。 
「複数のゲート信号線（１）１７２とゲート信号線（２）１７３からなるゲート信号線の組と、
　複数のソース信号線１７１と、
　前記複数のゲート信号線（１）１７２とゲート信号線（２）１７３からなるゲート信号線の組と前記複数のソース信号線１７１の交点に形成された画素であって、各画素が複数のトランジスタと蓄積容量ならびに有機発光素子からなる画素と、
　前記複数のゲート信号線の組が接続されているゲートドライバ７０と、
　前記複数のソース信号線１７１が接続されているソースドライバ７１と、
　前記ソース信号線１７１ごとに設けられた後述する各電圧源に対応する電圧出力端に電圧を供給する複数の電圧源５４ａ〜５４ｃとを備え、
　前記ソースドライバ７１は、前記ソース信号線１７１のそれぞれに、電圧印加期間制御部５１、ソース信号電流制御信号５６及び電圧源選択制御信号１６１を出力する階調データ検出手段５２、前記ソース信号電流制御信号５６が入力されるシンク型のソース信号用電流源５３、前記複数の電圧源５４ａ〜５４ｃからそれぞれ電圧が供給される複数の電圧出力端、前記複数の電圧出力端から前記電圧源選択制御信号１６１によって１つの前記電圧出力端を選択するスイッチ、前記電圧出力端からの電圧を供給する電圧供給端、前記ソース信号用電流源５３からの電流を流す電流通過端、前記電圧印加期間制御部５１の出力信号によって前記電圧供給端と前記電流通過端のいずれかを選択するスイッチからなる回路群が設けられており、電圧印加期間制御部５１の出力信号を変化させ、１水平走査期間の初めである電圧印加期間に、表示階調ごとに、異なる電圧値を有する複数の電圧源５４ａから５４ｃのうちの１つを選択して、ソース信号線に選択された電圧値を印加し、１水平走査期間の電圧印加期間を除いた期間である電流印加期間に、入力映像信号の階調を検出し、その検出結果により、ソース信号用電流源５３に流れる電流量を制御することにより、ソース信号線に映像信号に応じた所望の電流値の電流量を流すものであり、
　前記画素は、カレントミラー構成の画素であって、ＥＬ電源線１７５と、ＥＬ素子１７６と、前記ＥＬ電源線１７５と前記ＥＬ素子１７６の間に接続されたトランジスタ１７７ｃと、　ゲート信号線（１）１７２と、ソース信号線１７１の間に接続されたトランジスタ１７７ｄと、前記トランジスタ１７７ｄと前記ＥＬ電源線１７５の間に接続されて前記トランジスタ１７７ｃとカレントミラー構成となっているトランジスタ１７７ａと、ゲート信号線（２）１７３と前記トランジスタ１７７ａの間に接続されたトランジスタ１７７ｂと、前記トランジスタ１７７ａのゲートと前記トランジスタ１７７ｃのゲートの間のノードと前記ＥＬ電源線１７５の間に接続された蓄積容量１７４とを含み、前記トランジスタ１７７ｄのゲートには、前記ゲート信号線（１）１７２が接続され、前記トランジスタ１７７ｂのゲートには、前記ゲート信号線（２）１７３が接続され、前記蓄積容量１７４に電荷をプログラムする行選択時に、トランジスタ１７７ｂ、１７７ｄのゲートに異なるゲート信号が供給される
　有機電界発光素子表示装置。」
　
（２Ｂ）引用刊行物２
（２Ｂ−１）引用刊行物２の記載事項
　原査定の拒絶の理由に引用され、本願の優先日前の２００３年６月２７日に頒布された刊行物である特開２００３−１７７７０９号公報（以下「引用刊行物２」という。）には、「有機ＥＬ素子表示装置」の発明に関して、以下の事項が記載されている。 
　
＜記載事項６＞
「【０００２】
【従来の技術】近年、有機ＥＬ素子（Organic ElectroLuminescent element）を用いた電気光学装置が開発されている。有機ＥＬ素子は、自発光素子であり、バックライトが不要なので、低消費電力、高視野角、高コントラスト比の表示装置を達成できるものと期待されている。なお、本明細書において、「電気光学装置」とは、電気信号を光に変換する装置を意味している。電気光学装置の最も普通の形態は、画像を表す電気信号を画像を表す光に変換する装置であり、特に表示装置として好適である。
【０００３】
【発明が解決しようとする課題】有機ＥＬ素子の画素回路としては、電圧値に応じて発光階調を設定する電圧プログラミング方式の画素回路と、電流値に応じて発光階調を設定する電流プログラミング方式の画素回路とが存在する。なお、「プログラミング」とは、画素回路に発光階調を設定する処理を意味している。電圧プログラミング方式は、比較的高速であるが、発光階調の設定精度があまり良くない場合がある。一方、電流プログラミング方式は、発光階調の設定精度は比較的良好であるが、設定に比較的長時間を要する場合がある。」
　
＜記載事項７＞
「【００２１】Ａ．第１実施例：図１は、本発明の第１実施例としての表示装置の概略構成を示すブロック図である。この表示装置は、コントローラ１００と、表示マトリクス部２００（「画素領域」とも呼ぶ）と、ゲートドライバ３００と、データ線ドライバ４００とを有している。コントローラ１００は、表示マトリクス部２００に表示を行わせるためのゲート線駆動信号とデータ線駆動信号を生成して、ゲートドライバ３００とデータ線ドライバ４００にそれぞれ供給する。
【００２２】図２は、表示マトリクス部２００とデータ線ドライバ４００の内部構成を示している。表示マトリクス部２００は、マトリクス状に配列された複数の画素回路２１０を有しており、各画素回路２１０は有機ＥＬ素子２２０をそれぞれ有している。画素回路２１０のマトリクスには、その列方向に沿って伸びる複数のデータ線Ｘｍ（ｍ＝１〜Ｍ）と、行方向に沿って伸びる複数のゲート線Ｙｎ（ｎ＝１〜Ｎ）とがそれぞれ接続されている。なお、データ線は「ソース線」とも呼ばれ、また、ゲート線は「走査線」とも呼ばれる。また、本明細書では、画素回路２１０を「単位回路」あるいは単に「画素」とも呼ぶ。画素回路２１０内のトランジスタは、通常はＴＦＴ（薄膜トランジスタ）で構成される。
【００２３】ゲートドライバ３００は、複数のゲート線Ｙｎの中の１本を選択的に駆動して１行分の画素回路群を選択する。データ線ドライバ４００は、各データ線Ｘｍをそれぞれ駆動するための複数の単一ラインドライバ４１０を有している。これらの単一ラインドライバ４１０は、各データ線Ｘｍを介して画素回路２１０にデータ信号を供給する。このデータ信号に応じて画素回路２１０の内部状態（後述する）が設定されると、これに応じて有機ＥＬ素子２２０に流れる電流値が制御され、この結果、有機ＥＬ素子２２０の発光の階調が制御される。
【００２４】図３は、第１実施例の画素回路２１０と単一ラインドライバ４１０の内部構成を示す回路図である。この画素回路２１０は、ｍ番目のデータ線とｎ番目のゲート線Ｙｎとの交点に配置されている回路である。なお、１組のデータ線Ｘｍは２本のサブデータ線Ｕ１，Ｕ２を含んでおり、１組のゲート線Ｙｎは３本のサブゲート線Ｖ１〜Ｖ３を含んでいる。
【００２５】単一ラインドライバ４１０は、電圧生成回路４１１と電流生成回路４１２とを有している。電圧生成回路４１１は、第１のサブデータ線Ｕ１を介して画素回路２１０に電圧信号Ｖout を供給する。また、電流生成回路４１２は、第２のサブデータ線Ｕ２を介して画素回路２１０に電流信号Ｉout を供給する。
【００２６】画素回路２１０は、電流プログラミング回路２４０に、２つのスイッチングトランジスタ２５１，２５２が追加された構成を有している。電流プログラミング回路２４０は、第２のサブデータ線Ｕ２に流れる電流値に応じて有機ＥＬ素子２２０の階調を調節する回路である。
【００２７】図４は、トランジスタ２５１がオン状態で他のトランジスタ２５２がオフ状態である場合の画素回路２１０の等価回路（すなわち電流プログラミング回路２４０の等価回路）を示している。この電流プログラミング回路２４０は、有機ＥＬ素子２２０の他に、４つのトランジスタ２１１〜２１４と、保持キャパシタ２３０（「保持コンデンサ」あるいは「記憶キャパシタ」とも呼ぶ）とを有している。保持キャパシタ２３０は、第２のサブデータ線Ｕ２を介して供給された電流信号Ｉout の電流値に応じた電荷を保持し、これによって、有機ＥＬ素子２２０の発光の階調を調節するためのものである。この例では、第１ないし第３のトランジスタ２１１〜２１３はｎチャンネル型ＦＥＴであり、第４のトランジスタ２１４はｐチャンネル型ＦＥＴである。有機ＥＬ素子２２０は、フォトダイオードと同様の電流注入型（電流駆動型）の発光素子なので、ここではダイオードの記号で描かれている。
【００２８】第１のトランジスタ２１１のドレインは、第２のトランジスタ２１２のソースと、第３のトランジスタ２１３のドレインと、第４のトランジスタ２１４のドレインと、にそれぞれ接続されている。第２のトランジスタ２１２のドレインは、第４のトランジスタ２１４のゲートに接続されている。保持キャパシタ２３０は、第４のトランジスタ２１４のソース／ゲート間に接続されている。また、第４のトランジスタ２１４のソースは、電源電位Ｖｄｄにも接続されている。第１のトランジスタ２１２のソースは、第２のサブデータ線Ｕ２を介して電流生成回路４１２に接続されている。有機ＥＬ素子２２０は、第３のトランジスタ２１３のソースと接地電位との間に接続されている。第１と第２のトランジスタ２１１，２１２のゲートは、第２のサブゲート線Ｖ２に共通に接続されている。また、第３のトランジスタ２１３のゲートは、第３のサブゲート線Ｖ３に接続されている。
【００２９】第１と第２のトランジスタ２１１，２１２は、第２のサブデータ線Ｕ２を介して保持キャパシタ２３０に電荷を蓄積する際に使用されるスイッチングトランジスタである。第３のトランジスタ２１３は、有機ＥＬ素子２２０の発光期間においてオン状態に保たれるスイッチングトランジスタである。また、第４のトランジスタ２１４は、有機ＥＬ素子２２０に流れる電流値を制御するための駆動トランジスタである。第４のトランジスタ２１４の電流値は、保持キャパシタ２３０に保持される電荷量（蓄積電荷量）によって制御される。
【００３０】図３に示す画素回路２１０と図４に示す等価回路との差異は以下の点である。
（１）第２のトランジスタ２１２のドレインと第４のトランジスタのゲートとの接続点ＣＰ１（図４）と、保持キャパシタ２３０との間に、スイッチングトランジスタ２５１が追加されている。
（２）保持キャパシタ２３０とスイッチングトランジスタ２５１との接続点ＣＰ２と、第１のサブデータ線Ｕ１との間に、スイッチングトランジスタ２５２が追加されている。
（３）追加された２つのトランジスタ２５１，２５２のゲートに共通に接続されたサブゲート線Ｖ１が追加されている。
（４）保持キャパシタ２３０には、第１のサブデータ線Ｕ１を介して電圧生成回路４１１からの電圧信号Ｖout が供給可能であり、また、第２のサブデータ線Ｕ２を介して電流生成回路４１２からの電流信号Ｉout が供給可能である。
【００３１】なお、以下では、追加されたトランジスタ２５１，２５２を、「電圧プログラミング用トランジスタ２５１，２５２」と呼ぶ。図３の例では、第１の電圧プログラミング用トランジスタ２５１はｐチャンネル型ＦＥＴであり、第２の電圧プログラミング用トランジスタ２５２はｎチャンネル型ＦＥＴである。
【００３２】電流プログラミング回路２４０の第１と第２のトランジスタ２１１，２１２は、電流信号Ｉout によって保持キャパシタ２３０に電荷を供給するか否かを制御する機能を有しており、本発明における「第１のスイッチングトランジスタ」に相当する。また、第２の電圧プログラミング用トランジスタ２５２は、電圧信号Ｖout によって保持キャパシタ２３０に電荷を供給するか否かを制御する機能を有しており本発明における「第２のスイッチングトランジスタ」に相当する。さらに、第１の電圧プログラミング用トランジスタ２５１は、本発明における「第３のスイッチングトランジスタ」に相当する。なお、第１の電圧プログラミング用トランジスタ２５１は省略することも可能である。
【００３３】図５は、画素回路２１０の動作を示すタイミングチャートである。ここでは、サブゲート線Ｖ１〜Ｖ３の電圧値（以下、「ゲート信号Ｖ１〜Ｖ３」も呼ぶ）と、第２のサブデータ線Ｕ２の電流値Ｉout と、有機ＥＬ素子２２０に流れる電流値ＩＥＬとが示されている。
【００３４】駆動周期Ｔｃは、プログラミング期間Ｔｐｒと発光期間Ｔｅｌとに分かれている。ここで、「駆動周期Ｔｃ」とは、表示マトリクス部２００内のすべての有機ＥＬ素子２２０の発光の階調が１回ずつ更新される周期を意味しており、いわゆるフレーム周期と同じものである。階調の更新は、１行分の画素回路群毎に行われ、駆動周期Ｔｃの間にＮ行分の画素回路群の階調が順次更新される。例えば、３０Ｈｚで全画素回路の階調が更新される場合には、駆動周期Ｔｃは約３３ｍｓである。
【００３５】プログラミング期間Ｔｐｒは、有機ＥＬ素子２２０の発光の階調を画素回路２１０内に設定する期間である。本明細書では、画素回路２１０への階調の設定を「プログラミング」と呼んでいる。例えば、駆動周期Ｔｃが約３３ｍｓであり、ゲート線Ｙｎの総数Ｎ（すなわち画素回路マトリクスの行数）が４８０本である場合には、プログラミング周期Ｔｐｒは約６９μｓ（＝３３ｍｓ／４８０）以下になる。
【００３６】プログラミング期間Ｔｐｒでは、まず、第２と第３のゲート信号Ｖ２，Ｖ３をＬレベルに設定して第１と第３のトランジスタ２１１，２１３をオフ状態（閉状態）に保つ。そして、第１のゲート信号Ｖ１をＨレベルに設定して、第１の電圧プログラミング用トランジスタ２５１をオフ状態（閉状態）に設定するとともに、第２の電圧プログラミング用トランジスタ２５２をオン状態（開状態）に設定する。このとき、電圧生成回路４１１（図３）は、発光階調に応じた所定の電圧値の電圧信号Ｖout を生成する。但し、電圧信号Ｖout としては、発光階調に依らずに常に一定の電圧値を有する信号を利用することも可能である。この電圧信号Ｖout が、第２の電圧プログラミング用トランジスタ２５２を介して保持キャパシタ２３０に供給されると、保持キャパシタ２３０には電圧信号Ｖout の電圧値に応じた電荷が蓄積される。
【００３７】こうして電圧信号Ｖout によるプログラミングが終了すると、第１のゲート信号Ｖ１をＬレベルに立ち下げて、第１の電圧プログラミング用トランジスタ２５１をオン状態に設定するとともに、第２の電圧プログラミング用トランジスタ２５２をオフ状態に設定する。このとき、画素回路２１０は図４に示した等価回路になる。この状態において、第２のサブデータ線Ｕ２上に発光階調に応じた電流値Ｉｍを流しながら、第２のゲート信号Ｖ２をＨレベルに設定して第１と第２のトランジスタ２１１，２１２をオン状態にする（図５（ｂ），（ｅ））。このとき、電流生成回路４１２（図３）は、発光階調に応じた一定の電流値Ｉｍを流す定電流源として機能する。図５（ｅ）に示されているように、この電流値Ｉｍは、所定の電流値の範囲ＲＩ内において、有機ＥＬ素子２２０の発光の階調に応じた値に設定されている。
【００３８】この電流値Ｉｍによるプログラミングの結果、保持キャパシタ２３０は、第４のトランジスタ２１４（駆動トランジスタ）を流れる電流値Ｉｍに対応した電荷を保持した状態となる。このとき、第４のトランジスタ２１４のソース／ゲート間には、保持キャパシタ２３０に記憶された電圧が印加される。なお、本明細書では、プログラミングに用いられるデータ信号の電流値Ｉｍを「プログラミング電流値Ｉｍ」と呼ぶ。
【００３９】電流信号Ｉout によるプログラミングが終了すると、ゲートドライバ３００が第２のゲート信号Ｖ２をＬレベルに設定して第１と第２のトランジスタ２１１，２１２をオフ状態とし、また、電流生成回路４１２は電流信号Ｉout を停止する。
【００４０】発光期間Ｔｅｌでは、第１のゲート信号Ｖ１をＬレベルに維持して画素回路２１０を図４の等価回路の状態に設定する。また、第２のゲート信号Ｖ２もＬレベルに維持し、第１と第２のトランジスタ２１１，２１２をオフ状態に保ったまま、第３のゲート信号Ｖ３をＨレベルに設定して第３のトランジスタ２１３をオン状態に設定する。保持キャパシタ２３０には、プログラミング電流値Ｉｍに対応した電圧が予め記憶されているので、第４のトランジスタ２１４にはプログラミング電流値Ｉｍとほぼ同じ電流が流れる。従って、有機ＥＬ素子２２０にもプログラミング電流値Ｉｍとほぼ同じ電流が流れ、この電流値Ｉｍに応じた階調で発光する。
【００４１】以上のように、第１実施例の画素回路２１０は、電圧信号Ｖout によるプログラミングを行った後に、電流信号Ｉout によるプログラミングを行うので、電圧信号Ｖout のみによるプログラミングに比べて正確に発光階調を設定できる。また、電流信号Ｉout のみによるプログラミングに比べて高速に発光階調を設定できる。すなわち、この画素回路２１０は、従来に比べて高速で高精度な発光階調の設定を実現することが可能である。」
　
＜記載事項８＞
「【００６３】Ｅ．第５実施例：図１２は、第５実施例の画素回路２１０ｄと単一ラインドライバ４１０ｄの内部構成を示す回路図である。この画素回路２１０ｄは、図４に示した回路と同じものである。すなわち、第５実施例では、第１実施例（図３）に設けられていた２つのスイッチングトランジスタ２５１，２５２を有していない。また、これらのトランジスタ２５１，２５２のためのサブゲート線Ｖ１も省略されている。単一ラインドライバ４１０ｄや、その内部の回路４１１ｄ，４１２ｄは、図３に示した第１実施例におけるこれらの回路と同じものである。但し、第５実施例では、電圧生成回路４１１ｄと電流生成回路４１２ｄとが、１本のデータ信号線Ｘｍに共通に接続されている点で第１実施例と異なる。
【００６４】図１３は、第５実施例の画素回路２１０ｄの動作を示すタイミングチャートである。プログラミング期間Ｔｐｒの前半では電圧生成回路４１１ｄから電圧信号Ｖout （図１３（ｃ））がデータ線Ｘｍに供給されて電圧プログラミングが実行され、このとき、データ線Ｘｍの充電または放電と、保持キャパシタ２３０の充電または放電とが行われる。後半では電流生成回路４１２ｄから電流信号Ｉout（図１３（ｄ））が供給されて、保持キャパシタ２３０が正確にプログラミングされる。第５実施例では、電圧プログラミングと電流プログラミングの両方においてスイッチングトランジスタ２１１がオン状態に設定されるので、これらの両方においてゲート信号Ｖ２がＨレベルに保たれる。
【００６５】このように、従来と同じ画素回路を用いた場合にも、電圧プログラミングと電流プログラミングとを併用するようにすれば、電圧プログラミングのみの場合に比べて正確に発光階調を設定でき、また、電流プログラミングのみの場合に比べて高速に発光階調を設定できる。特に、第５実施例では、１つのデータ線Ｘｍを用いて電圧プログラミングが行われた後に、同じデータ線Ｘｍを用いて電流プログラミングが実施される。電圧プログラミングでは、データ線Ｘｍと保持キャパシタ２３０の両方に対して一種のプリチャージが行われ、その後、電流プログラミングが実施される。従って、従来に比べて高速にかつ正確に発光階調を設定することが可能である。
【００６６】図１４は、第５実施例の変形例を示す回路図である。この変形例では、電圧生成回路４１１ｄが、電源電圧Ｖｄｄ側に配置されている点が図１２の構成と異なる。このような回路においても、図１２の回路と同様な効果が得られる。
【００６７】なお、第５実施例のように、同一のデータ線Ｘｍを用いて電圧プログラミングと電流プログラミングを行う場合に、電圧プログラミング期間と電流プログラミング期間とが部分的に重なり合っていても良い。発光階調を正確に設定するためには、少なくとも電圧プログラミング（電圧信号の供給）が完了した後の期間において、電流プログラミング（電流信号の供給）が行われるように、電圧信号と電流信号のタイミングが調整されていることが好ましい。」
　
（２Ｂ−２）引用刊行物２に記載された発明
　上記引用刊行物２の段落【００６３】〜【００６５】、【図１２】、【図１３】に記載される第５実施例の表示装置に基づいて引用発明２を認定する。なお、認定に際し、【００６３】には、「この画素回路２１０ｄは、図４に示した回路と同じものである。すなわち、第５実施例では、第１実施例（図３）に設けられていた２つのスイッチングトランジスタ２５１，２５２を有していない。また、これらのトランジスタ２５１，２５２のためのサブゲート線Ｖ１も省略されている。単一ラインドライバ４１０ｄや、その内部の回路４１１ｄ，４１２ｄは、図３に示した第１実施例におけるこれらの回路と同じものである。但し、第５実施例では、電圧生成回路４１１ｄと電流生成回路４１２ｄとが、１本のデータ信号線Ｘｍに共通に接続されている点で第１実施例と異なる。」と記載されており、【００６３】〜【００６５】、【図１２】、【図１３】に明示されていない事項については、第１実施例を説明する記載事項７に基づいて認定する。
　
（２Ｂ−２−１）
　上記記載事項６には、「【０００２】・・・近年、有機ＥＬ素子（Organic ElectroLuminescent element）を用いた電気光学装置が開発されている。・・・本明細書において、「電気光学装置」とは、・・・特に表示装置として好適である。・・・」と記載されている。
　この記載によれば、引用刊行物２には、「有機ＥＬ素子表示装置」の発明が記載されている。
　
（２Ｂ−２−２）
　第１実施例を説明する上記記載事項７には、「【００２２】図２は、表示マトリクス部２００とデータ線ドライバ４００の内部構成を示している。表示マトリクス部２００は、マトリクス状に配列された複数の画素回路２１０を有しており、各画素回路２１０は有機ＥＬ素子２２０をそれぞれ有している。画素回路２１０のマトリクスには、その列方向に沿って伸びる複数のデータ線Ｘｍ（ｍ＝１〜Ｍ）と、行方向に沿って伸びる複数のゲート線Ｙｎ（ｎ＝１〜Ｎ）とがそれぞれ接続されている。・・・」、「【００２７】図４は、トランジスタ２５１がオン状態で他のトランジスタ２５２がオフ状態である場合の画素回路２１０の等価回路（すなわち電流プログラミング回路２４０の等価回路）を示している。この電流プログラミング回路２４０は、・・・保持キャパシタ２３０（「保持コンデンサ」あるいは「記憶キャパシタ」とも呼ぶ）とを有している。・・・」と記載されている。
　この記載によれば、引用刊行物２に記載された「有機ＥＬ素子表示装置」は、「行方向に沿って伸びる複数のゲート線Ｙｎ（ｎ＝１〜Ｎ）と、列方向に沿って伸びる複数のデータ線Ｘｍ（ｍ＝１〜Ｍ）と、マトリクス状に配列された複数の画素回路２１０であって、前記複数のゲート線Ｙｎ（ｎ＝１〜Ｎ）と前記複数のデータ線Ｘｍ（ｍ＝１〜Ｍ）とに接続され、有機ＥＬ素子２２０と保持キャパシタ２３０とを有する複数の画素回路２１０」とを有している。
　
（２Ｂ−２−３）
　第１実施例を説明する上記記載事項７には、「【００２３】ゲートドライバ３００は、複数のゲート線Ｙｎの中の１本を選択的に駆動して１行分の画素回路群を選択する。データ線ドライバ４００は、各データ線Ｘｍをそれぞれ駆動するための複数の単一ラインドライバ４１０を有している。これらの単一ラインドライバ４１０は、各データ線Ｘｍを介して画素回路２１０にデータ信号を供給する。・・・」と記載されている。
　この記載によれば、引用刊行物２に記載された「有機ＥＬ素子表示装置」は、「複数のゲート線Ｙｎの中の１本を選択的に駆動ゲートドライバ３００と、各データ線Ｘｍをそれぞれ駆動するための複数の単一ラインドライバ４１０を有するデータ線ドライバ４００」とを有している。
　
（２Ｂ−２−４）
　第１実施例を説明する上記記載事項７には、「【００２５】単一ラインドライバ４１０は、電圧生成回路４１１と電流生成回路４１２とを有している。電圧生成回路４１１は、第１のサブデータ線Ｕ１を介して画素回路２１０に電圧信号Ｖout を供給する。また、電流生成回路４１２は、第２のサブデータ線Ｕ２を介して画素回路２１０に電流信号Ｉout を供給する。」、「【００３６】プログラミング期間Ｔｐｒでは、まず、・・・電圧生成回路４１１（図３）は、発光階調に応じた所定の電圧値の電圧信号Ｖout を生成する。・・・この電圧信号Ｖout が、第２の電圧プログラミング用トランジスタ２５２を介して保持キャパシタ２３０に供給されると、保持キャパシタ２３０には電圧信号Ｖout の電圧値に応じた電荷が蓄積される。」、「【００３７】こうして電圧信号Ｖout によるプログラミングが終了すると、・・・電流生成回路４１２（図３）は、発光階調に応じた一定の電流値Ｉｍを流す定電流源として機能する。図５（ｅ）に示されているように、この電流値Ｉｍは、所定の電流値の範囲ＲＩ内において、有機ＥＬ素子２２０の発光の階調に応じた値に設定されている。【００３８】この電流値Ｉｍによるプログラミングの結果、保持キャパシタ２３０は、第４のトランジスタ２１４（駆動トランジスタ）を流れる電流値Ｉｍに対応した電荷を保持した状態となる。」と記載されている。
　これらの記載によれば、引用刊行物２の第１実施例の表示装置は、「プログラミング期間Ｔｐｒの初めの期間に、発光階調に応じた所定の電圧値の電圧信号Ｖout を生成することにより、保持キャパシタ２３０に電圧信号Ｖout の電圧値に応じた電荷を蓄積する電圧生成回路４１１と、プログラミング期間Ｔｐｒにおいて電圧信号Ｖout によるプログラミングが終了後に、発光階調に応じた一定の電流値Ｉｍを流す電流生成回路４１２とを有する単一ラインドライバ４１０」を有している。
　
（２Ｂ−２−５）
　第５実施例を説明する上記記載事項８には、「【００６３】・・・単一ラインドライバ４１０ｄや、その内部の回路４１１ｄ，４１２ｄは、図３に示した第１実施例におけるこれらの回路と同じものである。但し、第５実施例では、電圧生成回路４１１ｄと電流生成回路４１２ｄとが、１本のデータ信号線Ｘｍに共通に接続されている点で第１実施例と異なる。【００６４】・・・プログラミング期間Ｔｐｒの前半では電圧生成回路４１１ｄから電圧信号Ｖout （図１３（ｃ））がデータ線Ｘｍに供給されて電圧プログラミングが実行され、このとき、データ線Ｘｍの充電または放電と、保持キャパシタ２３０の充電または放電とが行われる。後半では電流生成回路４１２ｄから電流信号Ｉout（図１３（ｄ））が供給されて、保持キャパシタ２３０が正確にプログラミングされる。・・・」と記載されている。
　（２Ｂ−２−４）によれば、引用刊行物２の第１実施例の表示装置において、「電圧生成回路４１１」は「プログラミング期間Ｔｐｒの初めの期間に、発光階調に応じた所定の電圧値の電圧信号Ｖout を生成することにより、保持キャパシタ２３０に電圧信号Ｖout の電圧値に応じた電荷を蓄積する」ものであり、「電流生成回路４１２」は「プログラミング期間Ｔｐｒにおいて電圧信号Ｖout によるプログラミングが終了後に、発光階調に応じた一定の電流値Ｉｍを流す」ものである。そして、「単一ラインドライバ４１０ｄや、その内部の回路４１１ｄ，４１２ｄは、図３に示した第１実施例におけるこれらの回路と同じもので」（【００６３】）あって、「プログラミング期間Ｔｐｒの初めの期間」は「プログラミング期間Ｔｐｒの前半」であり、「プログラミング期間Ｔｐｒにおいて電圧信号Ｖout によるプログラミングが終了後の期間」は「プログラミング期間Ｔｐｒの後半」である。
　したがって、引用刊行物２に記載された「有機ＥＬ素子表示装置」は、「プログラミング期間Ｔｐｒの前半で、発光階調に応じた所定の電圧値の電圧信号Ｖout を生成することにより、保持キャパシタ２３０に電圧信号Ｖout の電圧値に応じた電荷を蓄積する電圧生成回路４１１ｄと、プログラミング期間Ｔｐｒの後半に、発光階調に応じた一定の電流値Ｉｍを流す電流生成回路４１２ｄとを有する単一ラインドライバ４１０ｄ」を有している。
　
（２Ｂ−２−６）
　（２Ｂ−２−１）〜（２Ｂ−２−３）、（２Ｂ−２−５）によれば、引用刊行物２には、以下の引用発明２が記載されている。
「行方向に沿って伸びる複数のゲート線Ｙｎ（ｎ＝１〜Ｎ）と、
　列方向に沿って伸びる複数のデータ線Ｘｍ（ｍ＝１〜Ｍ）と、
　マトリクス状に配列された複数の画素回路２１０であって、前記複数のゲート線Ｙｎ（ｎ＝１〜Ｎ）と前記複数のデータ線Ｘｍ（ｍ＝１〜Ｍ）とに接続され、有機ＥＬ素子２２０と保持キャパシタ２３０とを有する複数の画素回路２１０と、
　複数のゲート線Ｙｎの中の１本を選択的に駆動ゲートドライバ３００と、
　各データ線Ｘｍをそれぞれ駆動するための複数の単一ラインドライバ４１０ｄを有するデータ線ドライバ４００とを備え、
　前記単一ラインドライバ４１０ｄは、プログラミング期間Ｔｐｒの前半で、発光階調に応じた所定の電圧値の電圧信号Ｖout を生成することにより、前記保持キャパシタ２３０に電圧信号Ｖout の電圧値に応じた電荷を蓄積する電圧生成回路４１１ｄと、プログラミング期間Ｔｐｒの後半に、発光階調に応じた一定の電流値Ｉｍを流す電流生成回路４１２ｄとを有する
　有機ＥＬ素子表示装置。」
　
（３）対比 
　本願補正発明と引用発明１とを比較する。 
　
（３−１）
　引用発明１の「複数のソース信号線１７１」は本願補正発明の「複数のデータライン」に相当し、以下同様に、「有機発光素子」、「ＥＬ素子１７６」は共に「発光セル」に、「複数のトランジスタと蓄積容量」は「発光セル駆動回路」に、「画素」は「画素セル」に、「有機発光素子表示装置」は「エレクトロルミネセンス表示装置」に相当する。
　また、引用発明１の「複数のゲート信号線（１）１７２とゲート信号線（２）１７３からなるゲート信号線の組」と本願補正発明の「複数のゲートライン」は共に、「それぞれが画素セルの１行を規定する、複数の走査線単位」である点で共通する。
　
（３−２）
　引用発明１の「ゲートドライバ７０」は「複数のゲート信号線（１）１７２とゲート信号線（２）１７３からなるゲート信号線の組」が接続されたものであって、ゲート信号線（１）１７２とゲート信号線（２）１７３にはそれぞれ、各画素内のトランジスタ１７７ｂ、１７７ｄが接続されており、蓄積容量１７４に電荷をプログラムする行選択時に、トランジスタ１７７ｂ、１７７ｄのゲートに異なるゲート信号を供給するものである。ここで、行選択期間は、１水平走査期間であるから、引用発明１の「ゲートドライバ７０」は、各１水平走査期間に、複数のゲート信号線（１）１７２とゲート信号線（２）１７３からなるゲート信号線の組のそれぞれに、ゲート信号を供給するものである。
　そして、（３−１）の相当関係から、引用発明１の「複数のゲート信号線（１）１７２とゲート信号線（２）１７３からなるゲート信号線の組」と本願補正発明の「複数のゲートライン」は共に、「それぞれが画素セルの１行を規定する、複数の走査線単位」である点で共通するから、引用発明１の「各１水平走査期間に、複数のゲート信号線（１）１７２とゲート信号線（２）１７３からなるゲート信号線の組のそれぞれに、ゲート信号を供給するゲートドライバ７０」と、本願補正発明の「各１水平期間にゲート信号を前記複数のゲートラインのそれぞれに順次供給するためのゲートドライバー」は共に、「各１水平期間にゲート信号を、画素セルの１行を規定する複数の走査線単位のそれぞれに順次供給するゲートドライバー」である点で共通する。
　
（３−３）
　引用発明１の「電圧印加期間」は１水平走査期間の初めに電圧を印加する期間であり、本願補正発明の「第１期間」も「前記画素セルに電圧信号を供給する」１水平期間内の期間であるから、引用発明１の「電圧印加期間」は、本願補正発明の「第１期間」に相当する。同様に、引用発明１の「電流印加期間」は、本願補正発明の「第２期間」に相当する。
　
（３−４）
　引用発明１の「ソースドライバ７１」内に設けられたソース信号線のそれぞれに設けられた回路群は、「電圧印加期間制御部５１の出力信号を変化させ、１水平走査期間の初めである電圧印加期間に、表示階調ごとに、異なる電圧値を有する複数の電圧源５４ａから５４ｃのうちの１つを選択して、ソース信号線に選択された電圧値を印加」するものであるが、「電圧印加期間」においては、「前記電圧供給端と前記電流通過端のいずれかを選択するスイッチ」は「電圧印加期間制御部５１の出力信号」によって「前記電圧供給端」を選択しているものである。
　ここで、「ソース信号線に選択された電圧値を印加」することは、「ソース信号線」に接続された画素に選択された電圧値を印加することである。
　よって、引用発明１の「ソースドライバ７１」内に設けられたソース信号線のそれぞれに設けられた回路群において、「前記複数の電圧源５４ａ〜５４ｃからそれぞれ電圧が供給される複数の電圧出力端、前記複数の電圧出力端から前記電圧源選択制御信号１６１によって１つの前記電圧出力端を選択するスイッチ、前記電圧出力端からの電圧を供給する電圧供給端」は、電圧印加期間に、ソース信号線に接続された画素に選択された電圧値を印加するものである。
　また、本願補正発明の「複数のデータ集積回路」内の「電圧駆動部」も「前記１水平期間の第１期間の間、前記画素セルに電圧信号を供給する」ものである。
　そして、（３−３）の相当関係から、引用発明１の「電圧印加期間」は、本願補正発明の「第１期間」に相当する。
　したがって、引用発明１の「ソースドライバ７１」内の回路群の「前記複数の電圧源５４ａ〜５４ｃからそれぞれ電圧が供給される複数の電圧出力端、前記複数の電圧出力端から前記電圧源選択制御信号１６１によって１つの前記電圧出力端を選択するスイッチ、前記電圧出力端からの電圧を供給する電圧供給端」は、本願補正発明の「複数のデータ集積回路」内の「電圧駆動部」に相当する。
　
（３−５）
　同様に、引用発明１の「ソースドライバ７１」内の回路群は、「１水平走査期間の電圧印加期間を除いた期間である電流印加期間に、入力映像信号の階調を検出し、その検出結果により、ソース信号用電流源５３に流れる電流量を制御することにより、ソース信号線に映像信号に応じた所望の電流値の電流量を流すものである」が、「電流印加期間」においては、「前記電圧供給端と前記電流通過端のいずれかを選択するスイッチ」は「電圧印加期間制御部５１の出力信号」によって「前記電流通過端」を選択しているものである。
　ここで、シンク型の電流源によって「ソース信号線に映像信号に応じた所望の電流値の電流量を流す」ことは、「ソース信号線」に接続された画素から映像信号に応じた所望の電流値の電流量の供給を受けることである。
　よって、引用発明１の「ソースドライバ７１」内の回路群において、「前記ソース信号電流制御信号５６が入力されるシンク型のソース信号用電流源５３、前記ソース信号用電流源５３からの電流を流す電流通過端」は、電流印加期間に、ソース信号線に接続された画素から映像信号に応じた所望の電流値の電流量の供給を受けるものである。
　また、本願補正発明の「複数のデータ集積回路」内の「電流駆動部」も「前記第１水平期間の第１期間を除いた第２期間の間、前記画素セルから電流信号の供給を受ける」ものである。
　そして、（３−３）の相当関係から、引用発明１の「電流印加期間」は、本願補正発明の「第２期間」に相当する。
　したがって、引用発明１の「ソースドライバ７１」内の回路群の「前記ソース信号電流制御信号５６が入力されるシンク型のソース信号用電流源５３、前記ソース信号用電流源５３からの電流を流す電流通過端」は、本願補正発明の「複数のデータ集積回路」内の「電流駆動部」に相当する。
　
（３−６）
　引用発明１の「ソースドライバ７１」内の回路群は「前記複数の電圧源５４ａ〜５４ｃからそれぞれ電圧が供給される複数の電圧出力端、前記複数の電圧出力端から前記電圧源選択制御信号１６１によって１つの前記電圧出力端を選択するスイッチ、前記電圧出力端からの電圧を供給する電圧供給端」、「前記ソース信号電流制御信号５６が入力されるシンク型のソース信号用電流源５３、前記ソース信号用電流源５３からの電流を流す電流通過端」を有するものであり、本願補正発明の「データ集積回路」も「電圧駆動部」、「電流駆動部」を有するものである。
　ここで、引用発明１の「ソースドライバ７１」内の回路群の「前記複数の電圧源５４ａ〜５４ｃからそれぞれ電圧が供給される複数の電圧出力端、前記複数の電圧出力端から前記電圧源選択制御信号１６１によって１つの前記電圧出力端を選択するスイッチ、前記電圧出力端からの電圧を供給する電圧供給端」は、本願補正発明の「複数のデータ集積回路」内の「電圧駆動部」に相当し、引用発明１の「ソースドライバ７１」内の回路群の「前記ソース信号電流制御信号５６が入力されるシンク型のソース信号用電流源５３、前記ソース信号用電流源５３からの電流を流す電流通過端」は、本願補正発明の「複数のデータ集積回路」内の「電流駆動部」に相当するから、引用発明１の「ソースドライバ７１」内の１組の回路群は、本願補正発明の「データ集積回路」に相当する。そして、引用発明１の「ソースドライバ７１」内の回路群はソース信号線のそれぞれに設けられているから、複数あるものである。
　
（３−７）
　引用発明１の「複数の電圧源５４ａ〜５４ｃ」は、各ソース信号線に設けられた各電圧源に対応する電圧出力端に電圧を供給するものであり、異なる電圧値を出力するものである。ここで、（３−３）の相当関係から、引用発明１の「各ソース信号線に設けられた各電圧源に対応する電圧出力端」は、本願補正発明の「電圧駆動部」に対応する構成の一部であるから、引用発明１の「各ソース信号線に設けられた各電圧源に対応する電圧出力端に電圧を供給するものであり、異なる電圧値を出力する複数の電圧源５４ａ〜５４ｃ」と、本願補正発明の「前記電圧信号が生成されるように前記電圧駆動部に複数の電圧レベルを有するガンマ電圧値を供給するガンマ電圧部」は共に、「前記電圧信号が生成されるように前記電圧駆動部に複数の電圧レベルを有する電圧値を供給する電圧部」である点で共通する。
　
（３−８）
　（３−５）で示したように、引用発明１の「前記ソース信号電流制御信号５６が入力されるシンク型のソース信号用電流源５３、前記ソース信号用電流源５３からの電流を流す電流通過端」は、電流印加期間に、ソース信号線に接続された画素から映像信号に応じた所望の電流値の電流量の供給を受けるものである。
　ここで、引用発明１の「映像信号」は本願補正発明の「供給されるデータ」に相当するから、引用発明１の「映像信号に応じた所望の電流値」は本願補正発明の「供給されるデータに対応する電流ガンマ信号」に相当する。
　そして、本願補正発明の「電流駆動ブロック」も「供給されるデータに対応するように電流ガンマ信号を選択して、選択された電流ガンマ信号を利用して前記画素セルからデータに対応する電流が供給されるように制御する」ものである。
　したがって、引用発明１の、電流印加期間に、ソース信号線に接続された画素から映像信号に応じた所望の電流値の電流量の供給を受ける、「前記ソース信号電流制御信号５６が入力されるシンク型のソース信号用電流源５３、前記ソース信号用電流源５３からの電流を流す電流通過端」は、本願補正発明の、供給されるデータに対応するように電流ガンマ信号を選択して、選択された電流ガンマ信号を利用して前記画素セルからデータに対応する電流が供給されるように制御する、「電流駆動ブロック」に相当する。
　
（３−９）
　また、（３−４）で示したように、引用発明１の「前記複数の電圧源５４ａ〜５４ｃからそれぞれ電圧が供給される複数の電圧出力端、前記複数の電圧出力端から前記電圧源選択制御信号１６１によって１つの前記電圧出力端を選択するスイッチ、前記電圧出力端からの電圧を供給する電圧供給端」は、電圧印加期間に、ソース信号線に接続された画素に、表示階調に応じて異なる電圧値を有する複数の電圧源５４ａから５４ｃのうちの１つを選択して、選択された電圧値を印加するものである。
　ここで、引用発明１の映像信号の「表示階調」は本願補正発明の「供給されるデータ」の「表示階調」に相当し、（３−７）の相当関係から、引用発明１の「複数の電圧源５４ａ〜５４ｃ」と本願補正発明の「ガンマ電圧部」は共に、「前記電圧信号が生成されるように前記電圧駆動部に複数の電圧レベルを有する電圧値を供給する電圧部」である点で共通するから、引用発明１の「表示階調に応じて異なる電圧値を有する複数の電圧源５４ａから５４ｃのうちの１つを選択」することと本願補正発明の「供給されるデータに対応するように前記ガンマ電圧部から供給される複数の電圧ガンマ信号の中からいずれかを選択」することとは共に、「供給されるデータの表示階調に対応するように前記電圧部から供給される複数の電圧信号のうちの１つを選択」することである点で共通する。
　そして、実施の形態２を説明する上記記載事項４には、「そこで、低電流領域（黒に近い階調）では変化に時間がかかることを考慮し、表示階調ごともしくは複数の表示階調ごとに異なる電圧値を印加するようにして、変化量を少なくし、書き込み時間の短縮を図った。」と記載されており、実施の形態２において電流を印加する前に電圧を印加することは、ソース信号線、及び、ソース信号線に接続された画素の予備充電を行うためであることは明らかである。また、（３−１）の相当関係から、引用発明１の「ソース信号線」は本願補正発明の「データライン」に相当する。
　したがって、引用発明１の、「ソース信号線に接続された画素に、表示階調に応じて異なる電圧値を有する複数の電圧源５４ａから５４ｃのうちの１つを選択して、選択された電圧値を印加することにより、画素の予備充電を行う、前記複数の電圧源５４ａ〜５４ｃからそれぞれ電圧が供給される複数の電圧出力端、前記複数の電圧出力端から前記電圧源選択制御信号１６１によって１つの前記電圧出力端を選択するスイッチ、前記電圧出力端からの電圧を供給する電圧供給端」と、本願補正発明の「供給されるデータに対応するように前記ガンマ電圧部から供給される複数の電圧ガンマ信号の中からいずれかを選択して、選択された電圧ガンマ信号をデータラインに供給することで前記画素セルが予備充電されるように制御する電圧駆動ブロック」とは共に、「供給されるデータの表示階調に対応するように前記電圧部から供給される複数の電圧信号のうちの１つを選択して、選択された電圧信号をデータラインに供給することで前記画素セルが予備充電されるように制御する電圧駆動ブロック」である点で共通する。
　
（３−１０）
　引用発明１の「前記電圧印加期間制御部５１の出力信号によって前記電圧供給端と前記電流通過端のいずれかを選択するスイッチ」は、電圧印加期間制御部５１の出力信号によって、ソース信号線に電圧供給端を接続するか、電流通過端を接続するかを択一的に選択するものである。
　また、本願補正発明の「第１スイッチング部」も、データラインと電流駆動ブロックを、外部から供給される制御信号の第１極性によってターンオンされている時に接続し、本願補正発明の「第２スイッチング部」も、データラインと電圧駆動ブロックを、前記制御信号の前記第１極性と相反する第２極性によってターンオンされている時に接続するものであり、本願補正発明の「第１スイッチング部」と「第２スイッチング部」は、データラインに電流駆動ブロックを接続するか、データラインと電圧駆動ブロックを接続するかを択一的に選択するものである。
　そして、引用発明１の「電圧印加期間制御部５１の出力信号」は、本願補正発明の「外部から供給される制御信号」に相当し、（３−８）、（３−９）の相当関係から、引用発明１の「電流通過端」は、本願補正発明の「電流駆動ブロック」に相当する構成の一部であり、引用発明１の「電圧供給端」を含む構成と本願補正発明の「電圧駆動ブロック」とは共に、「供給されるデータの表示階調に対応するように前記電圧部から供給される複数の電圧信号のうちの１つを選択して、選択された電圧信号をデータラインに供給することで前記画素セルが予備充電されるように制御する電圧駆動ブロック」である点で共通する。
　したがって、引用発明１の「前記電圧印加期間制御部５１の出力信号によって前記電流通過端と前記電圧供給端のいずれかを選択するスイッチ」と、本願補正発明の「外部から供給される制御信号の第１極性によってターンオンされることによりデータラインと電流駆動ブロックを接続する第１スイッチング部、前記制御信号の前記第１極性と相反する第２極性によってターンオンされることによりデータラインと電圧駆動ブロックを接続する第２スイッチング部」とは共に、「外部から供給される制御信号によって、前記データラインと前記電流駆動ブロックを接続するか、前記データラインと前記電圧駆動ブロックを接続するかを択一的に選択するスイッチ」である点で共通する。
　
（３−１１）
　引用発明１の「ＥＬ電源線１７５」は、本願補正発明の「電圧供給ライン」に相当し、（３−１）の相当関係から、引用発明１の「ＥＬ素子１７６」、「ソース信号線」はそれぞれ、本願補正発明の「発光セル」、「データライン」に相当し、引用発明１の「複数のゲート信号線（１）１７２とゲート信号線（２）１７３からなるゲート信号線の組」と本願補正発明の「複数のゲートライン」は共に、「それぞれが画素セルの１行を規定する、複数の走査線単位」である点で共通する。
　よって、引用発明１の「前記ＥＬ電源線１７５と前記ＥＬ素子１７６の間に接続されたトランジスタ１７７ｃ」は、本願補正発明の「電圧供給ラインと前記発光セルの間に接続された第１駆動トランジスタ」に相当し、
　引用発明１の「ゲート信号線（１）１７２と、ソース信号線１７１の間に接続されたトランジスタ１７７ｄ」と本願補正発明の「前記ゲートラインと前記データラインの間に接続された第１スイッチングトランジスタ」とは共に、「画素セルの１行を規定する走査線単位と、データラインの間に接続された第１のスイッチングトランジスタ」である点で共通し、
　引用発明１の「前記トランジスタ１７７ｄと前記ＥＬ電源線１７５の間に接続されて前記トランジスタ１７７ｃとカレントミラー構成となっているトランジスタ１７７ａ」は、本願補正発明の「前記第１スイッチングトランジスタと前記電圧供給ラインの間に接続されて前記第１駆動トランジスタと電流ミラー回路を形成する第２駆動トランジスタ」に相当し、
　引用発明１の「ゲート信号線（２）１７３と前記トランジスタ１７７ａの間に接続されたトランジスタ１７７ｂ」と本願補正発明の「前記ゲートラインと前記第２駆動トランジスタの間に接続される第２スイッチングトランジスタ」とは共に、「画素セルの１行を規定する走査線単位と、前記第２駆動トランジスタの間に接続される第２のスイッチングトランジスタ」である点で共通し、
　引用発明１の「前記トランジスタ１７７ａのゲートと前記トランジスタ１７７ｃのゲートの間のノードと前記ＥＬ電源線１７５の間に接続された蓄積容量１７４」は、本願補正発明の「前記第１駆動トランジスタのゲートと第２駆動トランジスタのゲートの間のノードと前記電圧供給ラインの間に接続されるストレージキャパシター」に相当する。
　
（３−１２）
 　したがって、本願補正発明と引用発明１の両者は、 
「それぞれが画素セルの１行を規定する、複数の走査線単位と、
　前記複数の走査線単位と交差するように形成された複数のデータラインと、
　前記複数の走査線単位及びデータラインの交差部ごとに形成される発光セルと、前記走査線単位と前記データラインから供給される駆動信号により前記発光セルを駆動する発光セル駆動回路とを含む画素セルと、
　各１水平期間にゲート信号を、画素セルの１行を規定する複数の走査線単位のそれぞれに順次供給するゲートドライバーと、
　前記１水平期間の第１期間の間、前記画素セルに電圧信号を供給する電圧駆動部と、前記第１水平期間の第１期間を除いた第２期間の間、前記画素セルから電流信号の供給を受ける電流駆動部とを有する複数のデータ集積回路と、
　前記電圧信号が生成されるように前記電圧駆動部に複数の電圧レベルを有する電圧値を供給する電圧部と、
　を具備し、
　前記電流駆動部は、供給されるデータに対応するように電流ガンマ信号を選択して、選択された電流ガンマ信号を利用して前記画素セルからデータに対応する電流が供給されるように制御する電流駆動ブロックを含み、
　前記電圧駆動部は、供給されるデータの表示階調に対応するように前記電圧部から供給される複数の電圧信号のうちの１つを選択して、選択された電圧信号をデータラインに供給することで前記画素セルが予備充電されるように制御する電圧駆動ブロックを含み、
　前記データ集積回路は、外部から供給される制御信号によって、前記データラインと前記電流駆動ブロックを接続するか、前記データラインと前記電圧駆動ブロックを接続するかを択一的に選択するスイッチを含み、
　前記発光セル駆動回路は、電圧供給ラインと前記発光セルの間に接続された第１駆動トランジスタと、画素セルの１行を規定する走査線単位と、データラインの間に接続された第１のスイッチングトランジスタと、前記第１スイッチングトランジスタと前記電圧供給ラインの間に接続されて前記第１駆動トランジスタと電流ミラー回路を形成する第２駆動トランジスタと、画素セルの１行を規定する走査線単位と、前記第２駆動トランジスタの間に接続される第２のスイッチングトランジスタと、前記第１駆動トランジスタのゲートと第２駆動トランジスタのゲートの間のノードと前記電圧供給ラインの間に接続されるストレージキャパシターとを含む
　エレクトロルミネセンス表示装置」の点で一致し、以下の点で相違する。 
　
 [相違点１] 
　画素セルの１行を規定する走査線単位に関し、本願補正発明では「１本のゲートライン」であるのに対し、引用発明１では「ゲート信号線（１）１７２とゲート信号線（２）１７３からなるゲート信号線の組」である点。また、これに派生して、第１のスイッチングトランジスタと第２のスイッチングトランジスタに関し、本願補正発明では「前記第１スイッチングトランジスタ及び第２スイッチングトランジスタのゲートには一つのゲートラインから同一であるゲート信号が供給される」のに対し、引用発明１では「トランジスタ１７７ｂ、１７７ｄのゲートにはそれぞれ異なるゲート信号線（２）１７３とゲート信号線（１）１７２が接続され、異なるゲート信号が供給される」点。
　
［相違点２］
　電圧部により供給される電圧信号に関し、本願補正発明では「供給されるデータに対応する電圧ガンマ信号」であるのに対し、引用発明１では、単に、「複数の異なる電圧信号」であって、各階調に異なる電圧値の電圧信号であるとも限らない点。
　
［相違点３］
　外部から供給される制御信号によって、データラインと電流駆動ブロックを接続するか、前記データラインと電圧駆動ブロックを接続するかを択一的に選択するスイッチに関し、本願補正発明では「相補的に動作する第１スイッチング部と、第２スイッチング部からなる」のに対し、引用発明１では「１つのスイッチ」である点。また、これに派生して、本願補正発明では、「第１スイッチング部が電流駆動部に含まれ、第２スイッチング部が電圧駆動部に含まれている」のに対し、引用発明１ではそのような構成を採っていない点。
　
（４）当審の判断 
相違点１について 
　「ＥＬ表示装置の駆動制御」の技術分野において、「発光素子と接続された第１の駆動トランジスタ、第１の駆動トランジスタとカレントミラーを構成する第２の駆動トランジスタ、第１の駆動トランジスタ及び第２の駆動トランジスタのゲート電圧を規定する蓄積容量、データ線と第１の駆動トランジスタ、第２の駆動トランジスタ、蓄積容量との接続をオン／オフする第１のスイッチングトランジスタと第２のスイッチングトランジスタからなる画素回路を採用し、第１のスイッチングトランジスタと第２のスイッチングトランジスタのゲートを同一の走査線に接続して、同一のゲート信号を供給する」ことは、例えば、拒絶査定の備考において例示された特開２００２−３５１４０２号公報（特に、段落【００１５】〜【００２６】、【図１３】参照。）、特開２００３−１９５８１５号公報（特に、段落【００１５】〜【００２３】、【図３５】参照。）に記載されているように、周知技術である。
　また、「ＥＬ表示装置の駆動制御」の技術分野において、配線数を低減することは、周知の課題である。
　よって、引用発明１において、カレントミラー構成の画素回路として、発光素子と接続された第１の駆動トランジスタ、第１の駆動トランジスタとカレントミラーを構成する第２の駆動トランジスタ、第１の駆動トランジスタ及び第２の駆動トランジスタのゲート電圧を規定する蓄積容量、データ線と第１の駆動トランジスタ、第２の駆動トランジスタ、蓄積容量との接続をオン／オフする第１のスイッチングトランジスタと第２のスイッチングトランジスタからなる画素回路において、走査線単位の配線として２本の配線を使用しているところ、周知の課題を勘案して、周知技術を適用し、第１のスイッチングトランジスタと第２のスイッチングトランジスタのゲートを同一の走査線に接続して、同一のゲート信号を供給することは、当業者が容易になし得たことである。
　したがって、上記相違点１に係る本願補正発明の発明特定事項は、当業者が引用発明１及び周知技術に基づいて容易に想到し得たことである。
　
相違点２について
　（２Ｂ−２−６）で述べたように、引用刊行物２には、以下の引用発明２が記載されている。
「行方向に沿って伸びる複数のゲート線Ｙｎ（ｎ＝１〜Ｎ）と、
　列方向に沿って伸びる複数のデータ線Ｘｍ（ｍ＝１〜Ｍ）と、
　マトリクス状に配列された複数の画素回路２１０であって、前記複数のゲート線Ｙｎ（ｎ＝１〜Ｎ）と前記複数のデータ線Ｘｍ（ｍ＝１〜Ｍ）とに接続され、有機ＥＬ素子２２０と保持キャパシタ２３０とを有する複数の画素回路２１０と、
　複数のゲート線Ｙｎの中の１本を選択的に駆動ゲートドライバ３００と、
　各データ線Ｘｍをそれぞれ駆動するための複数の単一ラインドライバ４１０ｄを有するデータ線ドライバ４００とを備え、
　前記単一ラインドライバ４１０ｄは、プログラミング期間Ｔｐｒの前半で、発光階調に応じた所定の電圧値の電圧信号Ｖout を生成することにより、保持キャパシタ２３０に電圧信号Ｖout の電圧値に応じた電荷を蓄積する電圧生成回路４１１ｄと、プログラミング期間Ｔｐｒの後半に、発光階調に応じた一定の電流値Ｉｍを流す電流生成回路４１２ｄとを有する
　有機ＥＬ素子表示装置。」
　
　引用発明２の「複数のゲート線Ｙｎ（ｎ＝１〜Ｎ）」は、本願補正発明の「複数のゲートライン」に相当し、以下同様に、「複数のデータ線Ｘｍ（ｍ＝１〜Ｍ）」は「複数のデータライン」に、「有機ＥＬ素子２２０」は「発光セル」に、「画素回路２１０」のうち「有機ＥＬ素子２２０」を除いた回路は「発光セル駆動回路」に、「保持キャパシタ２３０」は「ストレージキャパシター」に、「画素回路２１０」は「画素セル」に、「駆動ゲートドライバ３００」は「ゲートドライバー」に、「有機ＥＬ素子表示装置」は「エレクトロルミネセンス表示装置」に相当する。
　
　また、引用刊行物２の第１実施例を説明する上記記載事項７には、「【００３４】駆動周期Ｔｃは、プログラミング期間Ｔｐｒと発光期間Ｔｅｌとに分かれている。ここで、「駆動周期Ｔｃ」とは、表示マトリクス部２００内のすべての有機ＥＬ素子２２０の発光の階調が１回ずつ更新される周期を意味しており、いわゆるフレーム周期と同じものである。階調の更新は、１行分の画素回路群毎に行われ、駆動周期Ｔｃの間にＮ行分の画素回路群の階調が順次更新される。例えば、３０Ｈｚで全画素回路の階調が更新される場合には、駆動周期Ｔｃは約３３ｍｓである。【００３５】プログラミング期間Ｔｐｒは、有機ＥＬ素子２２０の発光の階調を画素回路２１０内に設定する期間である。本明細書では、画素回路２１０への階調の設定を「プログラミング」と呼んでいる。例えば、駆動周期Ｔｃが約３３ｍｓであり、ゲート線Ｙｎの総数Ｎ（すなわち画素回路マトリクスの行数）が４８０本である場合には、プログラミング周期Ｔｐｒは約６９μｓ（＝３３ｍｓ／４８０）以下になる。」と記載されている。
　ここで、駆動周期は、フレーム周期と同じものであり、プログラム期間Ｔｐｒの長さは、駆動周期Ｔｃをゲート線Ｙｎの総数で割った時間以下であり、プログラム期間Ｔｐｒの長さは、１水平期間に略等しいものである。
　したがって、引用発明２の「プログラミング期間Ｔｐｒ」は、本願補正発明の「１水平期間」に相当する。
　
　そして、引用発明２の「単一ラインドライバ４１０ｄ」は、プログラミング期間Ｔｐｒの前半で、発光階調に応じた所定の電圧値の電圧信号Ｖout を生成することにより、保持キャパシタ２３０に電圧信号Ｖout の電圧値に応じた電荷を蓄積する電圧生成回路４１１ｄと、プログラミング期間Ｔｐｒの後半に、発光階調に応じた一定の電流値Ｉｍを流す電流生成回路４１２ｄとを有するものである。すなわち、引用発明２の「単一ラインドライバ４１０ｄ」は、プログラミング期間Ｔｐｒの前半に、画素回路２１０内の保持キャパシタ２３０に電圧を供給する電圧生成回路４１１ｄと、プログラミング期間Ｔｐｒの後半に、画素回路２１０内の保持キャパシタ２３０に対して電流を流す電流生成回路４１２ｄとを有するものである。
　ここで、引用発明２の「プログラミング期間Ｔｐｒ」は、本願補正発明の「１水平期間」に相当するから、引用発明２の「プログラミング期間Ｔｐｒの前半に、画素回路２１０内の保持キャパシタ２３０に電圧を供給する電圧生成回路４１１ｄ」は、本願補正発明の「前記１水平期間の第１期間の間、前記画素セルに電圧信号を供給する電圧駆動部」に相当し、引用発明２の「プログラミング期間Ｔｐｒの後半に、画素回路２１０内の保持キャパシタ２３０に対して電流を流す電流生成回路４１２ｄ」は、本願補正発明の「前記第１水平期間の第１期間を除いた第２期間の間、前記画素セルから電流信号の供給を受ける電流駆動部」に相当する。
　そして、引用発明２の「電圧生成回路４１１ｄ」と「電流生成回路４１２ｄ」を有する「単一ラインドライバ４１０ｄ」は、本願補正発明の「電圧駆動部」と「電流駆動部」を有する「データ集積回路」に相当する。
　また、引用発明２の「階調」は、本願補正発明の「供給されるデータ」に相当するから、引用発明２の「発光階調に応じた所定の電圧値の電圧信号Ｖout」は、本願補正発明の「供給されるデータに対応する電圧ガンマ信号」に相当する。
　
　してみると、引用刊行物２には、
「複数のゲートラインと、
　前記複数のゲートラインと交差するように形成された複数のデータラインと、
　前記複数のゲートライン及びデータラインの交差部ごとに形成される発光セルと、前記ゲートラインと前記データラインから供給される駆動信号により前記発光セルを駆動する発光セル駆動回路とを含む画素セルと、
　各１水平期間にゲート信号を前記複数のゲートラインのそれぞれに順次供給するためのゲートドライバーと、
　前記１水平期間の第１期間の間、前記画素セルに電圧信号を供給する電圧駆動部と、前記第１水平期間の第１期間を除いた第２期間の間、前記画素セルから電流信号の供給を受ける電流駆動部とを有する複数のデータ集積回路とを具備したエレクトロルミネセンス表示装置において、
　前記電圧駆動部で供給されるデータに対応して電圧ガンマ信号を生成するエレクトロルミネセンス表示装置」の発明、すなわち、引用発明２が記載されている。
　
　そして、引用発明２を説明する引用刊行物２の上記記載事項７には「【００４１】・・・また、電流信号Ｉout のみによるプログラミングに比べて高速に発光階調を設定できる。すなわち、この画素回路２１０は、従来に比べて高速で高精度な発光階調の設定を実現することが可能である。」と記載されており、画素回路内への蓄積容量へのプログラミングの高速化を課題としている。
　一方、引用発明１を説明する引用刊行物１の上記記載事項４には「【００４４】そこで、低電流領域（黒に近い階調）では変化に時間がかかることを考慮し、表示階調ごともしくは複数の表示階調ごとに異なる電圧値を印加するようにして、変化量を少なくし、書き込み時間の短縮を図った。」と記載されており、同じく、画素回路内への蓄積容量へのプログラミングの高速化を課題としている。
　また、引用発明１と引用発明２とは共に、１水平期間の初めの期間に画素回路内への蓄積容量へ電圧によるプログラムを行った後、１水平期間の初めの期間に続く期間において画素回路内への蓄積容量へ電流によるプログラムを行うものである。
　よって、引用発明１で行う１水平期間の初めの期間に画素回路内への蓄積容量へ電圧によるプログラムにおける、供給されるデータに対応して与える電圧信号として、引用発明２の技術を適用し、供給されるデータのそれぞれに対応したガンマ電圧信号を採用することは、当業者が容易になし得たことである。
　したがって、上記相違点２に係る本願補正発明の発明特定事項は、当業者が引用発明１及び引用発明２に基づいて容易に想到し得たことである。
　
　なお、引用発明１を説明する引用刊行物１の上記記載事項４には、「【００４７】また、用意する電源数はソース信号線１２４の取り得る電圧振幅にもよるが、ソースドライバの回路規模増大と、電源数増加による画質改善の兼ね合いから多くても５つ程度が望ましい。」と記載されており、一見すると、表示階調ごとに異なる電源を設けること、すなわち、引用発明１に引用発明２を組み合わせることを阻害する記載があるとも考えられる。
　しかしながら、【００４７】の上記記載にもあるように、表示階調ごとに異なる電源を設けて電源数を増加させることは、画質の改善、プログラム時間の短縮というプラスの側面を持つ一方、回路規模の増大というマイナスの側面を持っている。
　そして、回路設計において、要求されるスペックに応じて、例えば、画質が余り要求されず、回路規模の増大が厳しく制限される携帯機器などにおける表示装置であれば、電源数を少なくし、逆に、高画質が要求され、大画面でプログラム時間の制限が厳しく、周辺回路に対するスペースに比較的余裕のあるテレビなどにおける表示装置であれば、電源数を最大限に持たせるようにすることは、当業者が適宜なし得る設計的事項に過ぎない。
　したがって、引用刊行物１の上記記載は、引用発明１に引用発明２を組み合わせることを阻害する記載ではない。
　
相違点３について
　２つの選択先から１つを選択するスイッチとして、１つのスイッチで２つの選択先のどちらか一方を選択する構成、及び、２つの相補的にオン／オフするスイッチで一方の選択先のスイッチのみがオンすることによりどちらか一方を選択する構成は、いずれも周知の事項である。
　よって、引用発明１において、ソ−ス信号線に接続するように電圧供給端と電流通過端のいずれか一方を選択しているところ、周知の事項を勘案し、１つのスイッチで行う構成に代えて、２つの相補的にオン／オフするスイッチで一方の選択先のスイッチのみがオンすることによりどちらか一方を選択する構成を採用することは、当業者が適宜選択し得る事項に過ぎない。そして、かかる適用に応じて、２つにスイッチを、それぞれの選択先である、電圧供給端側に含まれた構成、すなわち、電圧駆動部に含まれた構成、及び、電流通過端側に含まれた構成、すなわち、電流駆動部に含まれた構成とすることに、格別の困難性は見受けられない。
　したがって、上記相違点３に係る本願補正発明の発明特定事項は、当業者が引用発明１及び周知の事項に基づいて容易に想到し得たことである。
　
　そして、本願補正発明によってもたらされる効果は、引用発明１、引用発明２、並びに、周知の事項及び周知技術から想定することができない格別のものと認めることもできない。
　
　したがって、本願補正発明は、引用発明１、引用発明２、並びに、周知の事項及び周知技術に基づいて当業者が容易に発明をすることができたものである。 
　
　よって、本願補正発明は、特許法第２９条第２項の規定により、特許出願の際独立して特許を受けることができない。
　
（５）まとめ 
　以上のとおり、本件補正は、平成１８年法律第５５号改正附則第３条第１項によりなお従前の例によるとされる同法による改正前の特許法第１７条の２第５項において準用する特許法第１２６条第５項の規定に違反するから、特許法第１５９条第１項で読み替えて準用する特許法第５３条第１項の規定により却下されるべきものである。 
　
３　本願発明について 
　
　平成２０年１０月１７日付け手続補正は上記のとおり却下されたので、本願の請求項１に係る発明（以下、「本願発明」という。）は、平成２０年５月２３日付けの手続補正により補正された特許請求の範囲、明細書及び図面の記載からみて、請求項１に記載されたとおりのものと認める。（前記「２」の項参照。） 
　
４　引用刊行物 
　
　引用刊行物１に記載された引用発明１は、前記「２　（２Ａ−２−６）」に記載されたとおりである。 
　
５　対比・判断
　
　本願発明は、前記「２」で検討した本願補正発明から、実質的に、「前記電圧信号が生成されるように前記電圧駆動部に複数の電圧レベルを有するガンマ電圧値を供給するガンマ電圧部」の発明特定事項を省くと共に、「電流駆動ブロック」と「電圧駆動ブロック」についての限定事項である、電流駆動ブロックにより供給されるデータに対応する信号が「電流ガンマ信号」であることと、電圧駆動ブロックにより供給されるデータに対応する信号が、「ガンマ電圧部から供給される複数の電圧ガンマ信号の中から選択された電圧ガンマ信号」であるとの発明特定事項を省いたものである。
　そうすると、本願発明と引用発明１とを比較すると、両者は検討済みの相違点１、３において相違し、その余の点で一致する。
　したがって、本願発明は、前記「２　（４）当審の判断」の「相違点１について」及び「相違点３について」において示した理由により、引用発明１、並びに、周知の事項及び周知技術に基づいて当業者が容易に発明をすることができたものである。
　
６　むすび 
　以上のとおり、本願発明は、引用発明１、並びに、周知の事項及び周知技術に基づいて当業者が容易に発明をすることができたものであるから、特許法第２９条第２項の規定により特許を受けることができない。 
　したがって、他の請求項に係る発明について審理するまでもなく、本願は拒絶すべきものである。
　
　よって、結論のとおり審決する。